(57)【要約】  アクセスポイントは、識別情報（たとえば、近隣報告およびアクセスポイント能力情報）をワイヤレスネットワークの専用チャネルで宣伝する（たとえば、ブロードキャストする）ことができる。識別情報は、ワイヤレスネットワークの近隣アクセスポイントに関する情報を含むことができる。近隣アクセスポイントは、専用チャネル、異なるプライマリ動作チャネル、またはそれらの組合せで動作することができる。ワイヤレスネットワークに入る局は、多数のチャネルをスキャンすることなく、近隣アクセスポイントの比較的迅速な発見を支援するためにアクセスポイントからの識別情報を検出するのに専用チャネルをスキャンすることができる。【選択図】図５
2017515357.tif 000002
【特許請求の範囲】
【請求項１】
識別情報をアクセスポイントにおいて生成すること、前記識別情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と、
ワイヤレスネットワークにおける専用チャネルを介して前記識別情報をブロードキャストすることと
を備える、方法。
【請求項２】
前記近隣報告は、前記ＩＥＥＥ８０２．１１ａｉプロトコルに従う低減された近隣報告を含む、
請求項１に記載の方法。
【請求項３】
前記アクセスポイント能力情報は、前記アクセスポイントと関連したアクセスポイントセキュリティ情報と、前記アクセスポイントの上位レイヤ能力を示す上位レイヤ能力情報とを含む、
請求項１に記載の方法。
【請求項４】
前記専用チャネルは、非重複チャネルのセットにおける特定のチャネルを備える、
請求項１に記載の方法。
【請求項５】
前記アクセスポイントは、ＩＥＥＥ８０２．１１ａｉアクセスポイントを備え、前記ワイヤレスネットワークは、ＩＥＥＥ８０２．１１ワイヤレスネットワークを備える、
請求項１に記載の方法。
【請求項６】
前記ＩＥＥＥ８０２．１１ａｉアクセスポイントは、デュアルバンドアクセスポイントを備える、
請求項５に記載の方法。
【請求項７】
前記ＩＥＥＥ８０２．１１ａｉアクセスポイントは、シングルバンドアクセスポイントを備える、
請求項５に記載の方法。
【請求項８】
前記近隣報告は、前記ワイヤレスネットワークにおける隣接アクセスポイントのリストを含む、
請求項１に記載の方法。
【請求項９】
前記隣接アクセスポイントのリスト中の各アクセスポイントは、別個のチャネルで動作している、
請求項８に記載の方法。
【請求項１０】
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
請求項１に記載の方法。
【請求項１１】
前記専用チャネルは、近隣報告をブロードキャストするために前記ワイヤレスネットワークの多数のアクセスポイントによって共有される共通チャネルを備える、
請求項１に記載の方法。
【請求項１２】
前記識別情報を前記ブロードキャストすることの前に１つまたは複数の対応するアクセスポイントからの１つまたは複数のブロードキャストされた近隣報告を検出するために特定の時間期間の間前記専用チャネルをスキャンすることをさらに備え、
前記アクセスポイントは、前記１つまたは複数のブロードキャストされた近隣報告の対応する信号強度に基づいて前記識別情報の前記ブロードキャストを抑制すべきかどうかを決定する、
請求項１に記載の方法。
【請求項１３】
第２の近隣報告と第２のアクセスポイント能力情報とを前記アクセスポイントのプライマリ動作チャネルでブロードキャストすることをさらに備える、
請求項１に記載の方法。
【請求項１４】
別のアクセスポイントからブロードキャストされた別の近隣報告の受信信号強度が第１の閾値を満たす場合、前記アクセスポイントからの特定の近隣報告のブロードキャストが抑制される、
請求項１に記載の方法。
【請求項１５】
他のアクセスポイントからブロードキャストされた対応する近隣報告の信号強度が第２の閾値を満たす場合、前記アクセスポイントからの特定の近隣報告のブロードキャストが抑制される、
請求項１に記載の方法。
【請求項１６】
前記対応する近隣報告の信号強度は、３つの対応する近隣報告の少なくとも３つの信号強度に対応する、
請求項１５に記載の方法。
【請求項１７】
プロセッサと、
前記プロセッサに結合されたメモリと
を備え、前記メモリは、
識別情報をアクセスポイントにおいて生成すること、前記識別情報は、近隣報告、アクセスポイント能力情報、またはそれらの組合せを含み、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と、
前記識別情報をワイヤレスネットワークの専用チャネルを介してブロードキャストすることと
を備える動作を実行するために前記プロセッサによって実行可能である命令を記憶する、
装置。
【請求項１８】
前記近隣報告は、前記ＩＥＥＥ８０２．１１ａｉプロトコルによる低減された近隣報告を含む、
請求項１７に記載の装置。
【請求項１９】
前記アクセスポイント能力情報は、前記アクセスポイントと関連したアクセスポイントセキュリティ情報と、前記アクセスポイントの上位レイヤ能力を示す上位レイヤ能力情報とを含む、
請求項１７に記載の装置。
【請求項２０】
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
請求項１７に記載の装置。
【請求項２１】
前記専用チャネルは、近隣報告をブロードキャストするために前記ワイヤレスネットワークの多数のアクセスポイントによって共有される共通チャネルを備える、
請求項１７に記載の装置。
【請求項２２】
前記動作は、
前記識別情報を前記ブロードキャストすることの前に１つまたは複数の対応するアクセスポイントからの１つまたは複数のブロードキャストされた近隣報告を検出するために特定の時間期間の間前記専用チャネルをスキャンすることをさらに備え、
ここにおいて、前記アクセスポイントが、前記１つまたは複数のブロードキャストされた近隣報告の対応する信号強度に基づいて前記識別情報の前記ブロードキャストを抑制すべきかどうかを決定する、
請求項１７に記載の装置。
【請求項２３】
プロセッサによって実行されたとき、前記プロセッサに、
識別情報をアクセスポイントにおいて生成すること、前記識別情報は、近隣報告、アクセスポイント能力情報、またはそれらの組合せを含み、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と
ワイヤレスネットワークの専用チャネルを介する前記識別情報のブロードキャストを開始することと
を行わせる命令を備える、非一時的コンピュータ可読媒体。
【請求項２４】
前記近隣報告は、前記ＩＥＥＥ８０２．１１ａｉプロトコルによる低減された近隣報告を含む、
請求項２３に記載の非一時的コンピュータ可読媒体。
【請求項２５】
ワイヤレスネットワークの専用チャネルの少なくとも１つのブロードキャストされた近隣報告の信号強度を決定するための手段と、
前記信号強度が閾値を満たし損なっているという決定に応答して前記専用チャネルを介して識別情報をブロードキャストするための手段、前記識別情報は、近隣報告、アクセスポイント能力情報、またはそれらの組合せを含み、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と
を備える、装置。
【請求項２６】
前記近隣報告は、前記ＩＥＥＥ８０２．１１ａｉプロトコルに従って低減された近隣報告を含む、
請求項２５に記載の装置。
【請求項２７】
前記専用チャネルは、非重複チャネルのセットにおける特定のチャネルを備える、
請求項２５に記載の装置。
【請求項２８】
前記専用チャネルは、近隣報告をブロードキャストするために前記ワイヤレスネットワークの多数のアクセスポイントによって共有される共通チャネルを備える、
請求項２５に記載の装置。
【発明の詳細な説明】
【優先権の主張】
【０００１】
[0001]本出願は、２０１４年３月３１日に出願された「ＤＥＤＩＣＡＴＥＤ  ＣＨＡＮＮＥＬ  ＦＯＲ  ＦＡＳＴ  ＩＮＩＴＩＡＬ  ＬＩＮＫ  ＳＥＴＵＰ  ＩＮ  Ａ  ＷＩＲＥＬＥＳＳ  ＮＥＴＷＯＲＫ」と題する米国仮特許出願第６１／９７２，８５１号、および２０１５年３月２６日に出願された米国非仮特許出願第１４／６７０，１１８号の優先権を主張し、これらの内容は、全体が参照により明確に組み込まれる。
【技術分野】
【０００２】
[0002]本開示は、一般に、ワイヤレスネットワークにおける高速初期リンクセットアップのための専用チャネルに関する。
【背景技術】
【０００３】
[0003]技術の進歩は、より小さくより強力なコンピューティングデバイスをもたらしている。たとえば、現在、小さく、軽量で、ユーザによって容易に持ち運ばれるポータブルワイヤレス電話、携帯情報端末（ＰＤＡ）、およびページングデバイスなどの、ワイアレスコンピューティングデバイスを含むいろいろなポータブルパーソナルコンピューティングデバイスが存在する。より詳細には、セルラ電話およびインターネットプロトコル（ＩＰ）電話などのポータブルワイヤレス電話は、ワイヤレスネットワークを介して音声とデータパケットとを通信することができる。さらに、多くのそのようなワイヤレス電話は、その中に組み込まれる他のタイプのデバイスを含む。たとえば、ワイヤレス電話は、デジタルスチルカメラと、デジタルビデオカメラと、デジタルレコーダと、オーディオファイルプレーヤとをさらに含むことができる。さらに、そのようなワイヤレス電話は、インターネットにアクセスするために使用され得る、ウェブブラウザアプリケーションなどのソフトウェアアプリケーションを含む実行可能な命令を処理することができる。したがって、これらのワイヤレス電話は、かなりのコンピューティング能力を含むことができる。
【０００４】
[0004]電気電子技術者協会（ＩＥＥＥ）は、ワイヤレスネットワーキングに関連する様々な業界仕様を発表しており、そのうちの多くは、「ＩＥＥＥ８０２．１１」という名称で示されている。一般には、仕様が立案される前に、調査グループおよび／またはタスクグループが、特定のワイヤレス技術の利害関係および実現可能性を評価するために形成される。たとえば、「ａｉ」タスクグループ（ＴＧａｉまたはＩＥＥＥ８０２．１１ａｉと呼ばれる）は高速初期リンクセットアップ（ＦＩＬＳ）に関連する。ＴＧａｉは、アクセスポイントによってビーコン、プローブ応答、またはＦＩＬＳ発見フレームで送信され得る低減された近隣報告（ＲＮＲ：reduced neighbor report）情報要素（ＩＥ）を使用して近辺情報をブロードキャストすることを提案している。ひとたび局（たとえば、ワイヤレス電話または他のワイヤレスデバイス）がＲＮＲ  ＩＥを受信すれば、局は、「好ましい」アクセスポイントとのリンクを確立するためにＲＮＲ  ＩＥの情報を使用することができる。
【０００５】
[0005]ＩＥＥＥ８０２．１１ネットワークの８０２．１１ａｉアクセスポイントからの隣接アクセスポイント能力情報を（ＲＮＲ  ＩＥを介して）受信するために、ＩＥＥＥ８０２．１１ネットワークに入る局は、ＲＮＲ  ＩＥを含むプローブ応答を受信するのにＲＮＲ  ＩＥのためのランダムに選択されたチャネルをスキャンするかまたはランダムに選択されたチャネルを介してプローブ要求をブローキャストすることができる。しかしながら、８０２．１１ａｉアクセスポイントが、ランダムに選択されたチャネルで動作していない場合、局は、ＲＮＲ  ＩＥを受信するために別のチャネルをスキャンしなければならない（または別のチャネルで別のプローブ要求をブローキャストしなければならない）ことがある。ＲＮＲ  ＩＥのために多数のチャネルをスキャンするのは、好ましいアクセスポイントとのリンクを確立するための時間の量を増加させることがある。たとえば、ＩＥＥＥ８０２．１１ネットワークのデュアルバンドアクセスポイントは、２．４ギガヘルツ（ＧＨｚ）周波数帯と５ＧＨｚ周波数帯とで動作することができる。２．４ＧＨｚ周波数帯は１１個のチャネルを含むことができ、５ＧＨｚ周波数帯は１２個のチャネルを含むことができる。したがって、事例によっては、局は、ＩＥＥＥ８０２．１１ネットワークの８０２．１１ａｉアクセスポイントからのＲＮＲ  ＩＥを受信する前に２３個のチャネルまでスキャンすることがある。多数のチャネルをスキャンすることおよび／または探索することは、初期リンクセットアップ時間を増加させる。
【発明の概要】
【０００６】
[0006]本開示は、電気電子技術者協会（ＩＥＥＥ）８０２．１１ａｉ準拠アクセスポイントなどのアクセスポイントからの近隣報告（たとえば、低減された近隣報告）を得るためにモバイルデバイスが専用チャネルをスキャンできるようにする技法とプロトコルとを提示する。たとえば、モバイルデバイスは、ＩＥＥＥ８０２．１１ａｉアクセスポイントによって送信される、低減された近隣報告を含むＦＩＬＳフレーム（たとえば、ビーコンフレーム、ＦＩＬＳ発見フレーム、および／またはプローブ応答フレーム）のために高速初期セットアップリンク（ＦＩＬＳ）チャネルをスキャンすることができる。
【０００７】
[0007]例証すると、ＩＥＥＥ８０２．１１ワイヤレスネットワークに入る際、モバイルデバイスは、ＩＥＥＥ８０２．１１ａｉアクセスポイントの存在を検出するために規定されたＦＩＬＳチャネルをスキャンする（たとえば、規定されたＦＩＬＳチャネルに同調する）ことができる。たとえば、ＦＩＬＳチャネルは、ＩＥＥＥ８０２．１１ａｉアクセスポイントが、低減された近隣報告（たとえば、隣接アクセスポイントのリストを含む報告）を送信する（たとえば、ブロードキャストする）所定のチャネルとすることができる。低減された近隣報告は、ビーコン、プローブ応答フレーム、および／またはＦＩＬＳ発見フレームを介して送信され得る。低減された近隣報告の検出に応答して、モバイル局は、「好ましい」アクセスポイントに関する情報を得ることができる。好ましいアクセスポイントは、モバイルデバイスのワイヤレスサービスプロバイダによって提供されるアクセスポイントまたはモバイルデバイスのユーザによって好まれるワイヤレスネットワークのアクセスポイントとすることができる。モバイルデバイスは、好ましいアクセスポイントの動作クラス、好ましいアクセスポイントのプライマリ動作チャネル、好ましいアクセスポイントの基本サービスセット識別子（ＢＳＳＩＤ）、好ましいアクセスポイントのターゲットビーコン送信時間（ＴＢＴＴ）などに関する情報を得ることができる。モバイルデバイスは、好ましいアクセスポイントとの認証ルーチン（またはハンドシェイク）を実行する（たとえば、好ましいアクセスポイントとの通信リンクを確立する）ために、得られた情報を使用することができる。加えてまたは代替では、モバイルデバイスは、低減された近隣報告を含むフレーム（たとえば、ビーコン、ＦＩＬＳ発見またはブロードキャストプローブ応答フレーム）を検出することなしに特定の量の時間（たとえば、約５ミリ秒（ｍｓ））の間ＦＩＬＳチャネルをスキャンした後、プローブ要求をＦＩＬＳチャネルでブロードキャストすることができる。ＩＥＥＥ８０２．１１ａｉアクセスポイントは、ＦＩＬＳチャネルでのプローブ要求の検出に応答して、低減された近隣報告を含むプローブ応答をモバイルデバイスに送信することができる。
【０００８】
[0008]本開示の技法およびプロトコルによれば、少なくとも１つのＩＥＥＥ８０２．１１ａｉアクセスポイントは、プローブ要求を受信し、低減された近隣報告を含むＦＩＬＳフレームを生成させ、および／またはＦＩＬＳチャネルを介してモバイルデバイスにＦＩＬＳフレームを送信するために、ＦＩＬＳチャネルとの「軽快な」アソシエーションを維持することができる。例証すると、ＩＥＥＥ８０２．１１ａｉアクセスポイントは、標準アクセスポイント動作を実行するように構成されたプライマリ無線と、「軽く負荷をかけられており」、ＩＥＥＥ８０２．１１ネットワークにアクセスするＩＥＥＥ８０２．１１ａｉ局（たとえば、モバイルデバイス）に情報（たとえば、低減された近隣報告）を供給するように構成されたセカンダリ無線（たとえば、ＦＩＬＳ無線）とを有するデュアルバンド（たとえば、デュアル無線）アクセスポイントとすることができる。
【０００９】
[0009]代替として、プローブ要求を受信し、プローブ応答を生成させ、ＦＩＬＳチャネルを介してモバイルデバイスにプローブ応答を送信するのに、ＦＩＬＳチャネルがプライマリ動作チャネルと異なる場合、少なくとも１つのＩＥＥＥ８０２．１１ａｉアクセスポイントはプライマリ動作チャネルを無視することができる。例証すると、ＩＥＥＥ８０２．１１ａｉアクセスポイントは、プライマリ動作チャネルのトラフィックを阻止するために自己送信可（ＣＴＳ）パケットを発行するシングルバンドアクセスポイントとすることができる。シングルバンドアクセスポイントは、プローブ要求を受信し、低減された近隣報告を含むＦＩＬＳフレームを生成させ、および／またはＦＩＬＳチャネルを介してモバイルデバイスにＦＩＬＳフレームを送信するために、ＦＩＬＳチャネルに同調することができる。
【００１０】
[0010]ＩＥＥＥ８０２．１１ａｉアクセスポイントは、ＦＩＬＳチャネルのトラフィックを低減させるためにコーディネーション方式を利用することができる。たとえば、ＦＩＬＳフレームを送信する（たとえば、ブロードキャストする）前に、ＩＥＥＥ８０２．１１ａｉアクセスポイントは、他のアクセスポイントからのＦＩＬＳフレームを検出するために比較的短い量の時間（たとえば、５ｍｓ）の間ＦＩＬＳチャネルを「傾聴する」ことができる。ＩＥＥＥ８０２．１１ａｉアクセスポイントは、２つの規準の少なくとも一方が満たされている場合、ＦＩＬＳフレームの送信を抑制することができる。第１に、ＩＥＥＥ８０２．１１ａｉアクセスポイントは、少なくとも１つの他のアクセスポイントがＦＩＬＳフレームを短い範囲でブロードキャストしている場合、ＦＩＬＳフレームの送信を抑制することができる。たとえば、ＩＥＥＥ８０２．１１ａｉアクセスポイントが比較的高い受信信号強度指標（ＲＳＳＩ）を有するＦＩＬＳチャネルのＦＩＬＳフレームを検出する場合、他のアクセスポイントのカバレッジ区域がＩＥＥＥ８０２．１１ａｉアクセスポイントのカバレッジ区域と同様である可能性が最も高いので、ＩＥＥＥ８０２．１１ａｉアクセスポイントは、ＦＩＬＳフレームの送信を抑制することができる。第２に、３つの他のアクセスポイントがＦＩＬＳチャネルにおいて中程度の範囲（たとえば、中程度のＲＳＳＩ）でＦＩＬＳフレームをブロードキャストしている場合、ＩＥＥＥ８０２．１１ａｉアクセスポイントは、ＦＩＬＳフレームの送信を抑制することができる。中程度の範囲でＦＩＬＳフレームをブロードキャストする３つのアクセスポイントとは、ＩＥＥＥ８０２．１１ａｉアクセスポイントが、近似的に、３つのアクセスポイントで形成される三角形内にあり、その結果、３つのアクセスポイントのカバレッジ区域が、集団で、ＩＥＥＥ８０２．１１ａｉアクセスポイントのカバレッジ区域と同様であることを意味することができる。しかしながら、いずれかの規準が満たされており、ＦＩＬＳチャネル上でブロードキャストされたＦＩＬＳフレームの低減された近隣報告がＩＥＥＥ８０２．１１ａｉアクセスポイントの低減された近隣報告における近隣アクセスポイントのすべてをリストしないとＩＥＥＥ８０２．１１ａｉアクセスポイントが決定する場合、ＩＥＥＥ８０２．１１アクセスポイントは、送信抑制を無効にし、ＦＩＬＳフレームをＦＩＬＳチャネルでブロードキャストすることができる。
【００１１】
[0011]本明細書で説明される技法の１つの例によれば、方法は、識別情報をアクセスポイントにおいて生成させることと、識別情報をワイヤレスネットワークの専用チャネルを介してブロードキャストすることとを含む。識別情報は、近隣報告（たとえば、低減された近隣報告）、アクセスポイント能力情報（たとえば、アクセスポイントと関連したアクセスポイントセキュリティ情報、およびアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１２】
[0012]本明細書で説明される技法の別の例によれば、装置は、プロセッサと、プロセッサに結合されたメモリとを含む。メモリは、動作を実行するためにプロセッサによって実行可能である命令を記憶する。動作は、識別情報をアクセスポイントにおいて生成させることと、識別情報をワイヤレスネットワークの専用チャネルを介してブロードキャストすることとを含む。識別情報は、近隣報告（たとえば、低減された近隣報告）、アクセスポイント能力情報（たとえば、アクセスポイントと関連したアクセスポイントセキュリティ情報、およびアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１３】
[0013]本明細書で説明される技法の別の例によれば、非一時的コンピュータ可読媒体は、プロセッサによって実行されたとき、プロセッサに、アクセスポイントにおいて識別情報を生成させ、ワイヤレスネットワークの専用チャネルを介する識別情報のブロードキャストを開始させる命令を含む。識別情報は、近隣報告（たとえば、低減された近隣報告）、アクセスポイント能力情報（たとえば、アクセスポイントと関連したアクセスポイントセキュリティ情報、およびアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１４】
[0014]本明細書で説明される技法の別の例によれば、装置は、ワイヤレスネットワークの専用チャネルの少なくとも１つのブロードキャストされた近隣報告の信号強度を決定するための手段と、信号強度が閾値を満たし損なっているという決定に応答して専用チャネルを介して識別情報をブロードキャストするための手段とを含む。識別情報は、近隣報告（たとえば、低減された近隣報告）、アクセスポイント能力情報（たとえば、アクセスポイントと関連したアクセスポイントセキュリティ情報、およびアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１５】
[0015]本明細書で説明される技法の別の例によれば、方法は、ワイヤレスネットワークのアクセスポイントからのブロードキャストされた情報を検出するためにワイヤレスネットワークの専用チャネルを第１の局においてスキャンすることを含む。方法は、特定の識別可能なアクセスポイントに関する識別情報を、ブロードキャストされた情報から得ることをさらに含む。ブロードキャストされる情報は、近隣報告（たとえば、低減された近隣報告）、アクセスポイント能力情報（たとえば、特定の識別可能なアクセスポイントと関連したアクセスポイントセキュリティ情報、および特定の識別可能なアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１６】
[0016]本明細書で説明される技法の別の例によれば、装置は、プロセッサと、プロセッサに結合されたメモリとを含む。メモリは、動作を実行するためにプロセッサによって実行可能である命令を記憶する。動作は、ワイヤレスネットワークのアクセスポイントからのブロードキャストされた情報を検出するためにワイヤレスネットワークの専用チャネルを第１の局においてスキャンすることを含む。動作は、特定の識別可能なアクセスポイントに関する識別情報を、ブロードキャストされた情報から得ることをさらに含む。ブロードキャストされる情報は、近隣報告（たとえば、低減された近隣報告）、アクセスポイント能力情報（たとえば、特定の識別可能なアクセスポイントと関連したアクセスポイントセキュリティ情報、および特定の識別可能なアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１７】
[0017]本明細書で説明される技法の別の例によれば、非一時的コンピュータ可読媒体は、プロセッサによって実行されたとき、プロセッサに、ワイヤレスネットワークのアクセスポイントからのブロードキャストされた情報を検出するためにワイヤレスネットワークの専用チャネルのスキャンを第１の局において開始させる命令を含む。命令は、さらに、プロセッサが、特定の識別可能なアクセスポイントに関する識別情報を、ブロードキャストされた情報から得られるように実行可能である。ブロードキャストされる情報は、近隣報告（たとえば、低減された近隣報告）、アクセスポイント能力情報（たとえば、特定の識別可能なアクセスポイントと関連したアクセスポイントセキュリティ情報、および特定の識別可能なアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１８】
[0018]本明細書で説明される技法の別の例によれば、装置は、ワイヤレスネットワークのアクセスポイントからのブロードキャストされた情報を検出するためにワイヤレスネットワークの専用チャネルをスキャンするための手段を含む。装置は、特定の識別可能なアクセスポイントに関する識別情報を、ブロードキャストされた情報から得るための手段をさらに含む。ブロードキャストされる情報は、近隣報告（たとえば、低減された近隣報告）、アクセスポイント能力情報（たとえば、特定の識別可能なアクセスポイントと関連したアクセスポイントセキュリティ情報、および特定の識別可能なアクセスポイントの上位レイヤ能力を示す上位レイヤ能力情報）、またはそれらの組合せを含む。アクセスポイント能力情報は、電気電子技術者協会（ＩＥＥＥ）８０２．１１ａｉプロトコルに従って高速初期リンクセットアップ（ＦＩＬＳ）インジケーション要素で搬送される。
【００１９】
[0019]開示される態様の少なくとも１つによって提供される１つの利点は、局（たとえば、モバイルデバイス）が局の好ましいアクセスポイントを見いだすための初期スキャンの減少である。たとえば、局は、好ましいアクセスポイントに関する情報を有している場合もあり有していない場合もあるランダムなチャネルを選択的にスキャンする／探索することとは対照的に、専用チャネルをスキャンするおよび／または探索することによって好ましいアクセスポイントに関する情報（たとえば、低減された近隣報告）を得ることができる。本開示の他の態様、利点、および特徴は、以下のセクションを含む本出願全体を調査した後明らかになるであろう。
【図面の簡単な説明】
【００２０】
【図１】専用チャネルを介して高速初期リンクセットアップを可能にするように動作可能なシステムの図。
【図２】専用チャネルを介して高速初期リンクセットアップを可能にするように動作可能な別のシステムの図。
【図３】専用チャネルを介して高速初期リンクセットアップを可能にする例示的な方法の流れ図。
【図４】専用チャネルを介して高速初期セットアップを可能にする別の例示的な方法の流れ図。
【図５】専用チャネルを介して高速初期リンクセットアップを可能にする別の例示的な方法の流れ図。
【図６】専用チャネルを介して高速初期セットアップを可能にする別の例示的な方法の流れ図。
【図７】本明細書で開示される１つまたは複数の方法、システム、装置、および／またはコンピュータ可読媒体の様々な技法をサポートするように動作可能なワイヤレスデバイスの図。
【発明を実施するための形態】
【００２１】
[0027]本開示の特定の技法が図面を参照しながら説明される。説明において、共通の特徴は、図面の全体を通して共通の参照番号によって指定される。
【００２２】
[0028]電気電子技術者協会（ＩＥＥＥ）８０２．１１タスクグループ（ＴＧ）ａｉ（以下、「ＴＧａｉ」）は、高速初期リンクセットアップ（ＦＩＬＳ）の調査に含まれるタスクグループである。ＴＧａｉサブミッションによれば、低減された近隣報告（ＲＮＲ）情報要素（ＩＥ）などの近隣情報は、ビーコン応答、プローブ応答、またはＦＩＬＳ発見フレームに含まれ得る。たとえば、アクセスポイントは、アクセスポイントと関連していないモバイルデバイス（たとえば、モバイル局（ＳＴＡ））にＲＮＲ  ＩＥを供給することができる。ＲＮＲ  ＩＥは、アクセスポイントの近隣の（たとえば、周囲の）１つまたは複数のアクセスポイントを識別するかまたは参照することができ、関連していないモバイルデバイスが「好ましい」アクセスポイント（たとえば、特定のワイヤレスサービスプロバイダによって提供されるアクセスポイント）を見いだすのを支援することができる。ＲＮＲ  ＩＥで識別されるアクセスポイントごとに、ＲＮＲ  ＩＥは、アクセスポイントのチャネル（たとえば、動作チャネル）と、アクセスポイントのターゲットビーコン送信時間（ＴＢＴＴ）とを識別する情報を含むことができる。ＴＢＴＴは、ＲＮＲ  ＩＥと関連した時間からのオフセットとして表され得る。したがって、モバイルデバイスは、ＲＮＲ  ＩＥの情報に基づいて特定の（たとえば、好ましい）アクセスポイントを識別することができ得る。
【００２３】
[0029]その上、モバイルデバイスは、アクセスポイントの動作チャネルとターゲットビーコン送信時間とをＲＮＲ  ＩＥから決定することができ、したがって、モバイルデバイスはアクセスポイントからビーコンを受信し、多数のチャネルをスキャンする必要なしにおよび延長した時間の期間の間スキャンする必要なしにアクセスポイントとの認証／アソシエーションプロセスを開始することができ得る。モバイルデバイスは、さらに、ビーコンに含まれるＦＩＬＳフィールドを介してアクセスポイントに関する追加の能力情報を集めることができ得る。モバイルデバイスは、プローブ応答を請求するために特定の（たとえば、好ましい）アクセスポイントにプローブ要求を送るのにＲＮＲ  ＩＥの動作チャネル情報を使用することができる。プローブ応答は、アクセスポイントに関する追加の能力情報を（たとえば、１つまたは複数のＦＩＬＳフィールドに）含むことができる。ＦＩＬＳインジケーションＩＥ（ビーコン、ＦＩＬＳ発見フレーム、および／またはプローブ応答フレームに含まれる）は、サブネット識別名（ＩＤ）などのアクセスポイントに関する追加情報、セキュリティ情報などをさらに含むことができる。それゆえに、ＲＮＲ  ＩＥとＦＩＬＳインジケーションＩＥとにより、モバイルデバイスは、スキャン時間および／または探索オーバヘッドを減少させながら関連するために利用可能なアクセスポイントを迅速に選択することが可能になり得る。ＲＮＲ  ＩＥは、サービスセット識別名（ＳＳＩＤ）を含むことができる。たとえば、ＳＳＩＤは、以前にアクセスポイントに一度も関連したことがない局にとって基本サービスセット識別名（ＢＳＳＩＤ）よりも有利であり得る。たとえば、同じ拡張サービスセット識別子（ＥＳＳＩＤ）の異なるアクセスポイントが同じＳＳＩＤを有し得るので、ＳＳＩＤはより有用であり得る。
【００２４】
[0030]開示されるシステム、デバイス、および方法は、モバイルデバイスが、スキャン時間および／または探索オーバヘッドを減少させるために専用チャネルを介してＲＮＲ  ＩＥを受信できるようにすることができる。たとえば、ワイヤレスネットワーク（たとえば、ＩＥＥＥ８０２．１１ワイヤレスネットワーク）の各アクセスポイントは、ビーコンと、プローブ応答と、ＦＩＬＳ発見フレームとを専用チャネルで送信する（たとえば、ブロードキャストする）ことができる。ワイヤレスネットワーク内の局は、ビーコン、プローブ応答、またはＦＩＬＳ発見フレームからのＲＮＲ  ＩＥを受信するために専用チャネルに同調することができる。受信したＲＮＲ  ＩＥに基づいて、局は、ワイヤレスネットワークにおける好ましいアクセスポイントを見いだすことができる。
【００２５】
[0031]図１を参照すると、専用チャネルを介して高速初期リンクセットアップを可能にするように動作可能なシステム１００が示される。システム１００は、図１においてＡＰAで指定されている第１のアクセスポイント（ＡＰ）１１０と、モバイルデバイス１２０（本明細書では代わりに局（ＳＴＡ）と呼び、図１ではＳＴＡAで指定されている）と、第２のアクセスポイント１３０（ＡＰBで指定されている）とを含む。追加の（またはより少ない）アクセスポイントがシステム１００に存在し得ることに留意されたい。たとえば、以下で説明されるように、システム１００は、ホームアクセスポイント１６０をさらに含む。追加として、図１は単一のモバイルデバイス１２０を示しているが、任意の数のモバイルデバイスがシステム１００に存在し得ることに留意されたい。第１のアクセスポイント１１０、モバイルデバイス１２０、および第２のアクセスポイント１３０は、例示的な非限定の例として、８０２．１１ａｉなどの１つまたは複数のＩＥＥＥ８０２．１１標準に従って動作することができる。
【００２６】
[0032]モバイルデバイス１２０は、ワイヤレスネットワークを介してデータを送信し受信するように動作可能な電子デバイスとすることができる。たとえば、モバイルデバイス１２０は、ワイヤレスフォン、携帯情報端末（ＰＤＡ）、ポータブルコンピューティングデバイス、タブレットコンピューティングデバイス、ポータブルメディアプレーヤ、またはそれらの組合せとすることができる。モバイルデバイス１２０は、１つまたは複数のアクセスポイントとの、ハンドシェイクおよびキー交換ルーチンなどの認証ルーチンを実行するように構成され得る。たとえば、モバイルデバイス１２０は、第１のアクセスポイント１１０との認証されたセッション（たとえば、関連したセッション）を確立するために第１のアクセスポイント１１０との認証ルーチンを実行することができる。たとえば、認証されたセッションは、モバイルデバイス１２０とアクセスポイント１１０との間の安全な（たとえば、暗号化された）通信を可能にすることができる。モバイルデバイス１２０が、関連セッションの間、第１のアクセスポイント１１０と通信するとき、モバイルデバイス１２０は、第１のアクセスポイント１１０との関連状態に構成されていると見なされる。モバイルデバイス１２０が、特定のアクセスポイントとの関連セッションにないとき、モバイルデバイスは、特定のアクセスポイントとの非関連状態（たとえば、事前関連状態）に構成されていると見なされる。モバイルデバイス１２０が、特定のアクセスポイントとの非関連状態にあるとき、モバイルデバイス１２０と特定のアクセスポイントとは、プローブ応答メッセージ、ビーコン、ＦＩＬＳ発見フレーム、または制御メッセージなどの無保証メッセージを使用して通信することができる。
【００２７】
[0033]アクセスポイント１１０、１３０の各々は、ワイヤレスネットワークのノードとすることができる。たとえば、アクセスポイント１１０、１３０の各々は、対応するワイヤレスデータネットワークをサポートする（たとえば、管理する）ＩＥＥＥ８０２．１１アクセスポイントとすることができる。たとえば、第１のアクセスポイント１１０は第１のネットワーク１１２をサポートすることができ、第２のアクセスポイント１３０は第２のネットワーク１３２をサポートすることができる。アクセスポイント１１０、１３０の各々は、対応する近隣報告を含む（たとえば、記憶する）ことができる。特定のアクセスポイントの特定の近隣報告は、特定のアクセスポイントと関連した近隣の（たとえば、周囲の）アクセスポイントを識別することができる。たとえば、第１のアクセスポイント１１０は、第１のアクセスポイント１１０の近隣アクセスポイントを識別する第１の近隣報告１１４を含む（たとえば、記憶する）ことができ、第２のアクセスポイント１３０は、第２のアクセスポイント１３０の近隣アクセスポイントを識別する第２の近隣報告１３４を含む（たとえば、記憶する）ことができる。
【００２８】
[0034]第１のアクセスポイント１１０は、第１の識別情報（たとえば、第１の近隣報告１１４、第１のアクセスポイント能力情報、またはそれらの組合せ）を生成させることができ、第２のアクセスポイント１３０は、第２の識別情報（たとえば、第２の近隣報告１３４、第２のアクセスポイント能力情報、またはそれらの組合せ）を生成させることができる。したがって、本明細書で説明される技法は、アクセスポイントにおける識別情報の生成をサポートする。識別情報は、近隣報告、アクセスポイント能力情報、またはそれらの組合せを含む。１つの例では、近隣報告は、ＩＥＥＥ８０２．１１ａｉプロトコルによる低減された近隣報告を含む。１つの例では、アクセスポイント能力情報は、アクセスポイントと関連したアクセスポイントセキュリティ情報と、アクセスポイントの上位レイヤ能力を示す上位レイヤ能力情報とを含む。例証すると、アクセスポイントセキュリティ情報は、「組み込み」アクセスポイント暗号化方式（たとえば、Ｗｉ−Ｆｉ（登録商標）保護アクセス（ＷＰＡ）、Ｗｉ−Ｆｉ保護アクセスＩＩ（ＷＰＡ２））と関連した情報を含むことができる。上位レイヤ能力情報は、ＩＥＥＥ８０２．１１データパケットにおいて上位プロトコルレイヤを処理するためのアクセスポイントの性能を示すことができる。
【００２９】
[0035]第１の近隣報告１１４または第２の近隣報告１３４などの近隣報告で識別されたかまたは参照された近隣アクセスポイントごとに、近隣報告は、さらに、例示的な非限定の例として、近隣アクセスポイントの動作チャネル、近隣アクセスポイントのメディアアクセス制御（ＭＡＣ）アドレス、近隣アクセスポイントの信号強度（たとえば、受信信号強度インジケーション（ＲＳＳＩ））、近隣アクセスポイントに関連する１つまたは複数の他のパラメータ、またはそれらの組合せを識別することができる。たとえば、第１の近隣報告１１４および／または第２の近隣報告１３４は、ＩＥＥＥ８０２．１１ａｉ標準によって規定された１つまたは複数の情報要素（ＩＥ）を含むＲＮＲなどの８０２．１１ａｉに準拠する低減された近隣報告（ＲＮＲ）を含むかまたはそれに対応することができる。第１の近隣報告１１４および／または第２の近隣報告１３４は、近隣アクセスポイントに関する情報を含むことができる。たとえば、近隣報告１１４、１３４は、近隣アクセスポイントの動作クラスと、近隣アクセスポイントのプライマリ動作チャネルと、近隣アクセスポイントのターゲットビーコン送信時間（ＴＢＴＴ）と、近隣アクセスポイントの基本サービスセット識別子（ＢＢＳＩＤ）とに関する情報を含むことができる。
【００３０】
[0036]動作中、モバイルデバイス１２０は、第１のアクセスポイント１１０の第１のネットワーク１１２および／または第２のアクセスポイント１３０の第２のネットワーク１３２の送信範囲内に入ることができる。第１のアクセスポイント１１０は、専用チャネル１５０を介して、第１のネットワーク１１２の送信範囲内の局（たとえば、モバイルデバイス１２０）と他のアクセスポイントとに識別情報（たとえば、第１の近隣報告１１４および／または第１のアクセスポイント能力情報）をブローキャストするように構成され得る。したがって、本明細書で説明される技法は、ワイヤレスネットワークの専用チャネルを介して識別情報をブロードキャストすることをサポートする。第１のアクセスポイント能力情報は、第１のアクセスポイント１１０と関連した第１のアクセスポイントセキュリティ情報と、第１のアクセスポイント１１０の上位レイヤ能力を示す上位レイヤ能力情報とを含むことができる。１つの例では、アクセスポイント能力情報は、電気電子協会（ＩＥＥＥ）８０２．１１ａｉプロトコルに従って高速初期リンクセットアップ（ＦＩＬＳ）インジケーション要素で搬送される。
【００３１】
[0037]専用チャネル１５０は、ＲＮＲをブロードキャストするために多数のアクセスポイントによって共有される共通チャネルである。１つの専用チャネル１５０が図１には示されているが、専用チャネル１５０は、専用チャネルのリスト（たとえば、セット）中の特定のチャネルとすることができる。非限定の例として、専用チャネルのリストは、２．４ＧＨｚ周波数帯に３つの非重複チャネルを含むことができる。したがって、専用チャネル１５０は、非重複チャネルのセットにおける特定のチャネルを備える。第１のアクセスポイント１１０は、専用チャネル１５０を介して、識別情報（たとえば、第１の近隣報告１１４および／または第１のアクセスポイント能力情報）を含むビーコンフレームをブロードキャストすることができる。たとえば、第１のアクセスポイント１１０は、ビーコンフレームをほぼ１００ミリ秒（ｍｓ）ごとに１回ブロードキャストすることができる。以下で説明されるように、専用チャネル１５０でのビーコン送信は、モバイルデバイス１２０のスキャン動作中の電力消費を低減させるために地球時間源に同期され得る。たとえば、専用チャネル１５０でのビーコン送信は、全地球測位システム（ＧＰＳ）またはセルラ時間に同期され得る。代替としてまたは加えて、第１のアクセスポイント１１０は、専用チャネル１５０を介して、情報（たとえば、第１の近隣報告１１４および／または第１のアクセスポイント能力情報）を含むＦＩＬＳ発見フレームをブロードキャストすることができる。たとえば、第１のアクセスポイント１１０は、ＦＩＬＳ発見フレームをほぼ２０ｍｓごとに１回ブロードキャストすることができる。以下で説明されるように、第１のアクセスポイント１１０は、さらに、モバイルデバイス１２０からのプローブ要求１２４の受信に応答して第１の近隣報告１１４を含むプローブ応答フレームをブロードキャストすることができる。第１のアクセスポイント能力情報は、ＩＥＥＥ８０２．１１ａｉプロトコルに従ってＦＩＬＳインジケーション要素で搬送され得る。
【００３２】
[0038]同様に、第２のアクセスポイント１３０は、専用チャネル１５０を介して、第２のネットワーク１３２の送信範囲内の局（たとえば、モバイルデバイス１２０）と他のアクセスポイントとに情報（たとえば、第２の近隣報告１３４および／または第２のアクセスポイント能力情報）をブロードキャストするように構成され得る。第２のアクセスポイント能力情報は、第２のアクセスポイント１３０と関連したセキュリティ情報と、第２のアクセスポイント１３０）の上位レイヤ能力を示す情報とを含むことができる。第２のアクセスポイント１３０は、専用チャネル１５０を介して、情報（たとえば、第２の近隣報告１３４および／または第２のアクセスポイント能力情報）を含むビーコンフレームをブロードキャストする（たとえば、ほぼ１００ｍｓごとに１回）ことができる。代替としてまたは加えて、第２のアクセスポイント１３０は、専用チャネル１５０を介して、第２の近隣報告１３４を含むＦＩＬＳ発見フレームをブロードキャストする（たとえば、ほぼ２０ｍｓごとに１回）ことができる。以下で説明されるように、第２のアクセスポイント１３０は、さらに、モバイルデバイス１２０からのプローブ要求１２４の受信に応答して第２の近隣報告１３４を含むプローブ応答フレームをブロードキャストすることができる。第２のアクセスポイント能力情報は、ＩＥＥＥ８０２．１１ａｉプロトコルに従ってＦＩＬＳインジケーション要素で搬送され得る。
【００３３】
[0039]アクセスポイント１１０、１３０から送信されるＦＩＬＳ発見フレームは、比較的迅速なアクセスポイント発見を可能にすることができる。たとえば、ＦＩＬＳ発見フレームは、サービスセット識別子（ＳＳＩＤ）数、アクセスポイント構成変更カウント、送信しているアクセスポイントの次のＴＢＴＴ、近隣アクセスポイントの次のＴＢＴＴ、ＲＮＲ（たとえば、第１の近隣報告１１４および／または第２の近隣報告１３４）、アクセスポイント能力（たとえば、動作チャネル帯域幅、サポートされるデータレートなど）、セキュリティ／インターネットプロトコル（ＩＰ）アドレスタイプ能力などを含むことができる。専用チャネル１５０でＦＩＬＳ発見フレームを送信すると、アクセスポイント１１０、１３０のプライマリ動作チャネルのデータスループットを増加させることができる。たとえば、専用チャネル１５０（プライマリ動作チャネルとは対照的に）でＦＩＬＳ発見フレームを送信すると、追加データフレームをプライマリ動作チャネルで送信することを可能にすることができる。
【００３４】
[0040]専用チャネル１５０で送信されるＦＩＬＳ発見フレームは、送信しているアクセスポイントのプライマリ動作チャネルに対応する情報をさらに含むことができる。ＦＩＬＳ発見フレームは、迅速なアクセスポイント発見を可能にするために標準８０２．１１ａｉ  ＦＩＬＳ発見フレームにおける情報のサブセットを含むことができる。たとえば、いくつかのシナリオでは、アクセスポイント能力、ＳＳＩＤ、およびアクセスポイント構成変更カウントは、モバイルデバイス１２０がより速いレートで情報を処理できるようにＦＩＬＳ発見フレームから省略されてもよい。追加として、ＦＩＬＳ発見フレームは、専用チャネル１５０の輻輳（たとえば、「電波占有」）を低減させるために比較的高いデータレートで送信され得る。
【００３５】
[0041]アクセスポイント１１０、１３０は、ＩＥＥＥ８０２．１１ａｉアクセスポイントとすることができる。たとえば、アクセスポイント１１０、１３０によって生成される近隣報告１１４、１３４は、ＩＥＥＥ８０２．１１ａｉ標準に従う（たとえば、ＩＥＥＥ８０２．１１ａｉ標準に従う情報を含む）ことができる。アクセスポイント１１０、１３０は、デュアルバンドアクセスポイントまたはシングルバンドアクセスポイントとすることができる。デュアルバンドアクセスポイントは、第１の周波数帯（たとえば、５ギガヘルツ（ＧＨｚ）周波数帯）の第１の動作周波数チャネルと、第２の周波数帯（たとえば、２．４ＧＨｚ周波数帯）の第２の動作周波数チャネルとを有することができる。シングルバンドアクセスポイントは、第２の周波数帯の動作周波数チャネルを有することができる。第２の周波数帯は１１個のチャネルを含むことができ、第１の周波数帯は１２個のチャネルを含むことができる。したがって、専用チャネル１５０は、シングルバンドアクセスポイントとデュアルバンドアクセスポイントとが専用チャネル１５０でブロードキャストできるように第２の周波数帯内のチャネルとすることができる。専用チャネル１５０は、第２の周波数帯の第６のチャネル（たとえば、チャネル６）とすることができる。たとえば、第２の周波数帯の第６のチャネルは、ＦＩＬＳ共通チャネルとすることができる。
【００３６】
[0042]したがって、本明細書で説明される技法によれば、アクセスポイントはＩＥＥＥ８０２．１１ａｉアクセスポイントを備え、ワイヤレスネットワークはＩＥＥＥ８０２．１１ワイヤレスネットワークを備える。１つの例では、ＩＥＥＥ８０２．１１ａｉアクセスポイントはデュアルバンドアクセスポイントを備える。別の例では、ＩＥＥＥ８０２．１１ａｉアクセスポイントはシングルバンドアクセスポイントを備える。
【００３７】
[0043]モバイルデバイス１２０は、第１のアクセスポイント１１０からのＲＮＲを検出するかまたは第２のアクセスポイント１３０からのＲＮＲを検出するために専用チャネル１５０をスキャンするように構成され得る。たとえば、第１のネットワーク１１２および／または第２のネットワーク１３２の送信範囲に入る際、モバイルデバイス１２０は、アクセスポイント１１０、１３０を介して専用チャネル１５０でブロードキャストされるビーコンまたはＦＩＬＳ発見フレームを検出するために専用チャネル１５０（たとえば、チャネル６）をスキャンすることができる。モバイルデバイス１２０は、スキャン動作と関連した電力消費を低減させるために地球時間源に同期された特定の時間に専用チャネル１５０をスキャンすることができる。たとえば、アクセスポイント１１０、１３０が地球時間源に従ってビーコンをブロードキャストする場合、モバイルデバイス１２０は、スキャン動作を地球時間源に同期させることによって、ビーコンのための専用チャネル１５０でのスキャンの実効的な量を低減させることができる。スキャンの実効的な量を低減させると、モバイルデバイス１２０の電力を節約して使うことができる。第１のアクセスポイント１１０からブロードキャストされるビーコンおよびＦＩＬＳ発見フレームは第１の近隣報告１１４を含むことができ、第２のアクセスポイント１３０からブロードキャストされるビーコンおよびＦＩＬＳ発見フレームは第２の近隣報告１３４を含むことができる。
【００３８】
[0044]モバイルデバイス１２０が専用チャネル１５０でビーコンおよび／またはＦＩＬＳ発見フレームを検出すると、モバイルデバイスは、検出されたビーコンおよび／またはＦＩＬＳ発見フレームの近隣報告１１４、１３４から「好ましい」アクセスポイントに関する情報を得ることができる。非限定の例として、好ましいアクセスポイントは、モバイルデバイス１２０の特定のワイヤレスサービスプロバイダによって提供されるアクセスポイント、またはモバイルデバイス１２０と関連した特定のワイヤレスネットワークのアクセスポイントとすることができる。１つの実施態様によれば、好ましいアクセスポイントは、モバイルデバイス１２０によって規定される。別の実施態様によれば、好ましいアクセスポイントは、モバイルデバイス１２０のサービスプロバイダによって規定される。例証すると、図１において、ホームアクセスポイント１６０は、モバイルデバイス１２０の好ましいアクセスポイントとすることができる。ホームアクセスポイント１６０は、モバイルデバイス１２０の「ホーム」ネットワーク１６２をサポートすることができ、第１のネットワーク１１２は、別のワイヤレスネットワーク（たとえば、コーヒーショップのワイヤレスネットワーク）とすることができる。したがって、モバイルデバイス１２０は、モバイルデバイス１２０のホームネットワーク１６２との接続を確立する（たとえば、ホームアクセスポイント１６０との認証ルーチンまたはハンドシェイクを実行する）ためにホームアクセスポイント１６０に関する情報を得ようとすることができる。ホームアクセスポイント１６０は、専用チャネル１５０（たとえば、専用チャネル１５０を介してホームネットワーク１６２の送信範囲内の局（たとえば、モバイルデバイス１２０）と他のアクセスポイントとに近隣報告をブロードキャストする）と、プライマリ動作チャネル１６４とで動作することができる。ホームアクセスポイント１６０は、専用チャネル１５０で動作しなくてもよく、すべての動作をプライマリ動作チャネル１６４で維持することができる。
【００３９】
[0045]スキャン動作中に、モバイルデバイス１２０が、第１のアクセスポイント１１０からブロードキャストされた第１の近隣報告１１４を検出する場合、モバイルデバイス１２０は、第２のアクセスポイント１３０に関する情報を第１の近隣報告１１４から得ることができる。たとえば、モバイルデバイス１２０は、第２のアクセスポイント１３０の動作クラス、第２のアクセスポイント１３０のプライマリ動作チャネル、第２のアクセスポイント１３０のＴＢＴＴ、および／または第２のアクセスポイント１３０の基本サービスセット識別子（ＢＳＳＩＤ）を第１の近隣報告１１４から得ることができる。得られた情報に基づいて、モバイルデバイス１２０は、第２のアクセスポイント１３０との通信リンクを確立する（たとえば、認証／アソシエーションプロセスを開始する）ことができる。
【００４０】
[0046]特定の時間期間の間専用チャネル１５０をスキャンした後、モバイルデバイス１２０は、モバイルデバイスがアクセスポイント１１０、１３０のうちの少なくとも１つからのＲＮＲを検出しなかった場合、プローブ要求１２４を生成させ、専用チャネル１５０を介して送信する（たとえば、ブロードキャストする）ことができる。プローブ要求１２４は、特定のアクセスポイントとの接続を確立するためにモバイルデバイス１２０が情報（たとえば、ＲＮＲ）を得る必要があることをアクセスポイント１１０、１３０に示すことができる。
【００４１】
[0047]プローブ要求１２４を受信した際、各アクセスポイント１１０、１３０は、専用チャネル１５０を介してプローブ要求１２４に応答する（たとえば、プローブ応答を生成させブロードキャストする）ことができる。例証すると、各アクセスポイント１１０、１３０は、専用チャネル１５０（たとえば、チャネル６）で動作することによってプローブ要求１２４に応答する（たとえば、ＲＮＲを含むプローブ応答を送信する）ことができる。代替として、各アクセスポイント１１０、１３０は、専用チャネル１５０で「軽快な」ネットワークを維持することができる。たとえば、各アクセスポイント１１０、１３０は、プローブ要求１２４に応答するために専用チャネル１５０における軽快なネットワーク（たとえば、軽快な接続）を維持するのに４０メガヘルツ（ＭＨｚ）モードで２．４ＧＨｚ周波数帯の第１のチャネル（チャネル１）または第１１のチャネル（チャネル１１）において動作することができる。
【００４２】
[0048]プローブ要求１２４をブロードキャストすることに応答して、モバイルデバイス１２０は、アクセスポイント１１０、１３０のうちの少なくとも１つからのプローブ応答を受信することができる。たとえば、モバイルデバイス１２０は、第１のアクセスポイント１１０からの第１の近隣報告１１４を含むプローブ応答、第２のアクセスポイント１３０からの第２の近隣報告１３４を含むプローブ応答、またはそれらの組合せを受信することができる。近隣報告１１４、１３４の得られた情報に基づいて、モバイルデバイス１２０は、ホームアクセスポイント１６０との通信リンクを確立する（たとえば、認証ルーチンまたはハンドシェイクを実行する）ことができる。たとえば、モバイルデバイス１２０は、近隣報告１１４、１３４の得られた情報に基づいてホームアクセスポイント１６０のプライマリ動作チャネル１６４を決定すること、プライマリ動作チャネル１６４を介して認証フレームをホームアクセスポイント１６０に送信すること、プライマリ動作チャネル１６４を介してホームアクセスポイント１６０からの肯定応答フレームを受信することなどを行うことができる。モバイルデバイス１２０は、複数のアクセスポイントからホームアクセスポイント１６０を選択することができる。モバイルデバイス１２０の好ましいアクセスポイントは、モバイルデバイス１２０によって検出されるＲＮＲ（またはプローブ応答）を送信するアクセスポイントに対応することができる。
【００４３】
[0049]モバイルデバイス１２０と好ましいアクセスポイントとの間の通信リンクを確立するための初期リンクセットアップ時間は、ＲＮＲを得るのに専用チャネル１５０を利用することによって減少され得る。たとえば、モバイルデバイス１２０は、８０２．１１ａｉアクセスポイントを検出する前に多数のチャネルをスキャンするおよび／または探索するのとは対照的にアクセスポイント１１０、１３０からのＲＮＲを受信するために専用チャネル１５０をスキャンするおよび／または探索することができる。したがって、ＲＮＲ検出のために専用チャネル１５０を利用すると、８０２．１１ａｉアクセスポイントによって能動的に使用されていないチャネルをモバイルデバイス１２０がスキャンする可能性が減少する。
【００４４】
[0050]図２を参照すると、専用チャネルを介して高速初期リンクセットアップを可能にするように動作可能な別のシステム２００が示される。システム２００は、第１のアクセスポイント１１０と、モバイルデバイス１２０と、第２のアクセスポイント１３０と、第３のアクセスポイント（ＡＰCで指定されている）２６０と、第４のアクセスポイント（ＡＰDで指定されている）２７０と、第５のアクセスポイント（ＡＰEで指定されている）２８０と、第６のアクセスポイント（ＡＰFで指定されている）２９０とを含む。図２は６つのアクセスポイント１１０、１３０、２６０、２７０、２８０、２９０を示しているが、任意の数のアクセスポイントがシステム２００に存在し得ることに留意されたい。追加として、図２は単一のモバイルデバイス１２０を示しているが、任意の数のモバイルデバイスがシステム２００に存在し得ることに留意されたい。アクセスポイント１１０、１３０、２６０、２７０、２８０、２９０の各々とモバイルデバイス１２０とは、８０２．１１ａｉなどの１つまたは複数のＩＥＥＥ８０２．１１標準に従って動作することができる。
【００４５】
[0051]アクセスポイント１１０、１３０、２６０、２７０、２８０、２９０の各々は、ワイヤレスネットワークのノードとすることができる。たとえば、アクセスポイント１１０、１３０、２６０、２７０、２８０、２９０の各々は、対応するネットワーク（たとえば、ワイヤレスネットワーク）と関連したＩＥＥＥ８０２．１１アクセスポイントとすることができる。たとえば、第１のアクセスポイント１１０は第１のネットワーク１１２をサポートすることができ、第２のアクセスポイント１３０は第２のネットワーク１３２をサポートすることができ、第３のアクセスポイント２６０は第３のネットワーク２６２をサポートすることができ、第４のアクセスポイント２７０は第４のネットワーク２７２をサポートすることができ、第５のアクセスポイント２８０は第５のネットワーク２８２をサポートすることができ、第６のアクセスポイント２９０は第６のネットワーク２９２をサポートすることができる。アクセスポイント１１０、１３０、２６０、２７０、２８０、２９０の各々は、対応する近隣報告を含む（たとえば、記憶する）ことができる。各近隣報告は、ＲＮＲを含むかまたはＲＮＲに対応することができる。各アクセスポイントの近隣報告は、１つまたは複数の近隣アクセスポイントを識別することができ、１つまたは複数のビーコンフレーム、１つまたは複数の近隣報告、またはそれらの組合せに含まれ得る。
【００４６】
[0052]動作中、各アクセスポイント１１０、１３０、２６０、２７０、２８０、２９０は、専用チャネル１５０における少なくとも１つの近隣アクセスポイントのＦＩＬＳフレームの受信信号強度に基づいてＦＩＬＳフレームのブロードキャストを抑制すべきかどうかを決定することができる。本明細書で使用されるＦＩＬＳフレームは、ＲＮＲ、またはモバイル局１２０とアクセスポイントとの間の初期リンクセットアップを容易にするために使用される任意の他の情報を含むアクセスポイントからの任意のブロードキャストに対応することができる。たとえば、ＦＩＬＳフレームは、ビーコンフレーム、ＦＩＬＳ発見フレーム、プローブ応答などを含むことができる。各アクセスポイント１１０、１３０、２６０、２７０、２８０、２９０は、近隣アクセスポイントからのＦＩＬＳフレームを検出するために専用チャネルをスキャンし、検出されたＦＩＬＳフレームの受信信号強度を測定することができる。専用チャネル１５０における少なくとも１つの近隣のポイントのＦＩＬＳフレームの受信信号強度が閾値を満たす場合、アクセスポイントは、専用チャネル１５０のトラフィックを低減させるためにＦＩＬＳブロードキャストの送信を抑制することができる。
【００４７】
[0053]説明のための例として、ＦＩＬＳフレーム（たとえば、第１の近隣報告１１４）をブロードキャストする前に、第１のアクセスポイント１１０は、１つまたは複数のアクセスポイントからの１つまたは複数のブロードキャストされたＦＩＬＳフレームを検出するために特定の時間期間の間専用チャネル１５０をスキャンする（たとえば、「傍聴する」）ことができる。第１のアクセスポイント１１０は、１つまたは複数のアクセスポイントからの１つまたは複数のＲＮＲを検出するためにほぼ５ｍｓの間専用チャネル１５０をスキャンすることができる。スキャンに基づいて、第１のアクセスポイント１１０は、近傍内のアクセスポイントが専用チャネル１５０でＦＩＬＳフレームをブロードキャストしているかどうかを決定することができる。比較的近傍の内部のアクセスポイントが専用チャネル１５０でＦＩＬＳフレームをブロードキャストしているという決定に応答して、第１のアクセスポイント１１０は、第１の近隣報告１１４のブロードキャスト送信を抑制することができる。たとえば、第３のアクセスポイント２６０は専用チャネル１５０を介して第１のＦＩＬＳフレームをブロードキャストすることができ、第１のアクセスポイント１１０はスキャン動作中に第１のＦＩＬＳフレームを検出することができる。第１のアクセスポイント１１０は、第１のＦＩＬＳフレームの第１の受信信号強度を測定することができる。たとえば、第１のアクセスポイント１１０は、第１のＦＩＬＳフレームと関連した受信信号強度指標（ＲＳＳＩ）２５０に基づいて第３のアクセスポイント２６０の近接度を決定することができる。比較的高いＲＳＳＩ２５０は、第３のアクセスポイント２６０が第１のアクセスポイント１１０の近傍にあることを示すことができ、比較的低いＲＳＳＩ２５０は、第３のアクセスポイント２６０が第１のアクセスポイント１１０の近傍にないことを示すことができる。
【００４８】
[0054]第１のＦＩＬＳフレームの第１の受信信号強度が第１の閾値を満たしている（たとえば、第１の閾値信号強度以上であるか、または比較的高いＲＳＳＩ２５０を有する）という決定に応答して、第１のアクセスポイント１１０は、専用チャネル１５０を介する第１の近隣報告１１４のブロードキャストを抑制することができる。たとえば、第１のアクセスポイント１１０は、第１の受信信号強度が第１の閾値を満たす場合、第３のアクセスポイント２６０のカバレッジ区域が第１のアクセスポイント１１０のカバレッジ区域と実質的に同様であると決定することができる。しかしながら、第１のＦＩＬＳフレームが第１の近隣報告１１４の近隣アクセスポイントの各々を参照していないと第１のアクセスポイント１１０が決定する場合、第１のアクセスポイント１１０は第１の近隣報告１１４を専用チャネル１５０を介してブロードキャストすることができる。
【００４９】
[0055]第１の閾値は、抑制範囲（たとえば、第１のアクセスポイント１１０が第１の近隣報告１１４のブロードキャストを抑制することになる第１のアクセスポイント１１０と第３のアクセスポイント２６０との間の最大範囲）に対応することができる。たとえば、抑制範囲は、第１の閾値が減少するにつれて増加する。抑制範囲は、ＩＥＥＥ８０２．１１標準などの業界標準に従って各アクセスポイント１１０、１３０、２６０、２７０、２８０、２９０に事前プログラムされ得る。短い抑制範囲は、ブロードキャスタの数を増加させることによって信頼性を改善することができる。しかしながら、短い抑制範囲は、さらに、オーバヘッドを増加させ（たとえば、専用チャネル１５０で比較的大量の冗長トラフィックを生成させ）、ブロードキャスト競合を増加させることもある。
【００５０】
[0056]追加として、第１のアクセスポイント１１０は、比較的近傍の内部の３つ以上のアクセスポイントがスキャン動作中にＦＩＬＳフレームをブロードキャストしているかどうかを決定することができる。たとえば、第１のアクセスポイント１１０のスキャン動作中に、第３のアクセスポイント２６０は専用チャネル１５０を介して第１のＦＩＬＳフレームをブロードキャストすることができ、第４のアクセスポイント２７０は専用チャネル１５０を介して第２のＦＩＬＳフレームをブロードキャストすることができ、第５のアクセスポイント２８０は専用チャネル１５０を介して第３のＦＩＬＳフレームをブロードキャストすることができる。第１のアクセスポイント１１０は、第１のＦＩＬＳフレームと、第２のＦＩＬＳフレームと、第３のＦＩＬＳフレームとを専用チャネル１５０で検出することができる。加えて、第１のアクセスポイント１１０は、第１のＦＩＬＳフレームの第１の受信信号強度と、第２のＦＩＬＳフレームの第２の受信信号強度と、第３のＦＩＬＳフレームの第３の受信信号強度とを測定することができる。第１のアクセスポイント１１０は、受信したＦＩＬＳフレームと関連したＲＳＳＩ２５０に基づいて各アクセスポイント２６０〜２８０の近接度を決定することができる。
【００５１】
[0057]各受信信号強度が第２の閾値を満たしている（たとえば、第２の閾値信号強度以上であるか、または中程度のＲＳＳＩ２５０を有する）という決定に応答して、第１のアクセスポイント１１０は、第１の近隣報告１１４のブロードキャストを抑制することができる。たとえば、第１のアクセスポイント１１０は、各受信信号強度が第２の閾値を満たす場合、第３、第４、第５のアクセスポイント２６０〜２８０のカバレッジ区域が、集団で、第１のアクセスポイント１１０のカバレッジ区域中の局をカバーする比較的高い可能性を有していると決定することができる。第１のアクセスポイント１１０は、第３、第４、および第５のアクセスポイント２６０〜２８０によって形成される三角形内にあり得る。したがって、第１のアクセスポイント１１０のカバレッジ区域中のいかなる局も、第３のアクセスポイント２６０からの第１のＦＩＬＳフレーム、第４のアクセスポイント２７０からの第２のＦＩＬＳフレーム、または第５のアクセスポイント２８０からの第３のＦＩＬＳフレームのうちの少なくとも１つを受信する可能性が最も高いことになる。たとえば、モバイルデバイス１２０は、第１のＦＩＬＳフレーム、第２のＦＩＬＳフレーム、または第３のＦＩＬＳフレームのうちの少なくとも１つを受信する可能性が高いであろう。しかしながら、アクセスポイント２６０〜２８０からのＦＩＬＳフレームの近隣報告が第１の近隣報告１１４の各アクセスポイントをリストしていないと第１のアクセスポイント１１０が決定する場合、第１のアクセスポイント１１０は、第１の近隣報告１１４を専用チャネル１５０を介してブロードキャストすることができる。
【００５２】
[0058]専用チャネル１５０における１つまたは複数の近隣アクセスポイントのＦＩＬＳフレームの受信信号強度が閾値を満たす場合、第１のアクセスポイント１１０は、第１の近隣報告１１４のブロードキャストを抑制することによって専用チャネル１５０のオーバヘッド（たとえば、輻輳）を低減させることができる。上述のコーディネーション方式を実施することにより、ＦＩＬＳフレームは、遅れずにカバレッジ区域に拡散することが可能になり得る。コーディネーション方式は、ＦＩＬＳフレームの受信信号強度を決定するためにアクセスポイントが専用チャネル１５０（たとえば、各アクセスポイントによって共有される共通チャネル）をスキャンできるのでアクセスポイント間のいかなるメッセージングも必要としないことを理解されよう。
【００５３】
[0059]図３を参照すると、専用チャネルを介して高速初期リンクセットアップを可能にする方法３００が説明される。方法３００は、図１〜２のモバイルデバイス１２０を使用して実行され得る。
【００５４】
[0060]方法３００は、３０２において、ワイヤレスネットワークのアクセスポイントからの情報（たとえば近隣報告および／またはアクセスポイント能力情報）を検出するためにワイヤレスネットワークの専用チャネルを第１の局においてスキャンすることを含む。たとえば、図１を参照すると、モバイルデバイス１２０は、第１のアクセスポイント１１０からのＲＮＲを検出するかまたは第２のアクセスポイント１３０からのＲＮＲを検出するために専用チャネル１５０をスキャンすることができる。たとえば、第１のネットワーク１１２および／または第２のネットワーク１３２の送信範囲に入る際、モバイルデバイス１２０は、アクセスポイント１１０、１３０を介して専用チャネル１５０でブロードキャストされるビーコンまたはＦＩＬＳ発見フレームを検出するために専用チャネル１５０（たとえば、チャネル６）をスキャンすることができる。第１のアクセスポイント１１０からブロードキャストされるビーコンまたはＦＩＬＳ発見フレームは第１の近隣報告１１４を含むことができ、第２のアクセスポイント１３０からブロードキャストされるビーコンおよびＦＩＬＳ発見フレームは第２の近隣報告１３４を含むことができる。
【００５５】
[0061]特定の時間期間の間専用チャネル１５０をスキャンした後、モバイルデバイス１２０は、モバイルデバイスがアクセスポイント１１０、１３０のうちの少なくとも１つからのＲＮＲを検出しなかった場合、プローブ要求１２４を生成させ、専用チャネル１５０を介して送信する（たとえば、ブロードキャストする）ことができる。プローブ要求１２４は、特定のアクセスポイントとの接続を確立するためにモバイルデバイス１２０が情報（たとえば、ＲＮＲ）を得る必要があることをアクセスポイント１１０、１３０に示すことができる。プローブ要求１２４をブロードキャストすることに応答して、モバイルデバイス１２０は、アクセスポイント１１０、１３０のうちの少なくとも１つからのプローブ応答を受信することができる。たとえば、モバイルデバイス１２０は、第１のアクセスポイント１１０からの第１の近隣報告１１４を含むプローブ応答、第２のアクセスポイント１３０からの第２の近隣報告１３４を含むプローブ応答、またはそれらの組合せを受信することができる。
【００５６】
[0062]特定のアクセスポイントに関する情報は、３０４において、ブロードキャストされた情報から得られ得る。たとえば、図１を参照すると、モバイルデバイス１２０は、第１のアクセスポイント１１０からブロードキャストされた第１の近隣報告１１４を検出することができる。モバイルデバイス１２０は、第２のアクセスポイント１３０に関する情報を第１の近隣報告１１４から得ることができる。たとえば、モバイルデバイス１２０は、第２のアクセスポイント１３０の動作クラス、第２のアクセスポイント１３０のプライマリ動作チャネル、第２のアクセスポイント１３０のＴＢＴＴ、および／または第２のアクセスポイント１３０のＢＳＳＩＤを第１の近隣報告１１４から得ることができる。
【００５７】
[0063]特定のアクセスポイントとの通信リンクが、得られた情報に基づいて確立され得る（３０６）。たとえば、図１を参照すると、モバイルデバイス１２０は、第１の近隣報告１１４からの得られた情報に基づいて、好ましいアクセスポイントとの通信リンクを確立する（たとえば、認証／アソシエーションプロセスを開始する）ことができる。例証すると、モバイルデバイス１２０は、近隣報告１１４、１３４において得られた情報に基づいてホームアクセスポイント１６０（たとえば、好ましいアクセスポイント）のプライマリ動作チャネル１６４を決定すること、認証フレームをホームアクセスポイント１６０にプライマリ動作チャネル１６４で送信すること、ホームアクセスポイント１６０からの肯定応答フレームをプライマリ動作チャネル１６４で受信することなどを行うことができる。好ましいアクセスポイントは、モバイルデバイス１２０に専用のネットワーク（たとえば、「ホーム」ネットワーク）またはモバイルデバイス１２０のユーザによって選択されたネットワークのアクセスポイントとすることができる。
【００５８】
[0064]図３の方法３００は、ＲＮＲを得るために専用チャネル１５０を利用することによって減少され得る、モバイルデバイス１２０と好ましいアクセスポイントとの間の通信リンクを確立するための初期リンクセットアップ時間を減少させることができる。たとえば、モバイルデバイス１２０は、８０２．１１ａｉアクセスポイントを検出する前に多数のチャネルをスキャンするおよび／または探索するのとは対照的にアクセスポイント１１０、１３０からのＲＮＲを受信するために専用チャネル１５０をスキャンするおよび／または探索することができる。したがって、ＲＮＲ検出のために専用チャネル１５０を利用すると、８０２．１１ａｉアクセスポイントによって能動的に使用されていないチャネルをモバイルデバイス１２０がスキャンする可能性を減少させることができる。
【００５９】
[0065]図４を参照すると、専用チャネルを介して高速初期リンクセットアップを可能にする別の方法４００が説明される。方法４００は、図１〜２の第１のアクセスポイント１１０、図１〜２の第２のアクセスポイント１３０、図２の第３のアクセスポイント２６０、図２の第４のアクセスポイント２７０、図２の第５のアクセスポイント２８０、図２の第６のアクセスポイント２９０、またはそれらの組合せを使用して実行され得る。
【００６０】
[0066]方法４００は、４０２において、１つまたは複数の対応するアクセスポイントからの１つまたは複数のブロードキャストされた近隣報告を検出するために特定の時間期間の間専用チャネルをアクセスポイントにおいてスキャンすることを含む。たとえば、図２を参照すると、第１の近隣報告１１４をブロードキャストする前に、第１のアクセスポイント１１０は、１つまたは複数の対応するアクセスポイントからの１つまたは複数のブロードキャストされたＦＩＬＳフレーム（低減された近隣報告を含む）を検出するために特定の時間期間の間専用チャネル１５０をスキャンすることができる。第１のアクセスポイント１１０は、１つまたは複数の対応するアクセスポイントからの１つまたは複数のＲＮＲを検出するためにほぼ５ｍｓの間専用チャネル１５０をスキャンすることができる。
【００６１】
[0067]情報（たとえば、近隣報告および／またはアクセスポイント能力情報）は、４０４において、選択的に、スキャンに基づいた専用チャネルを介してブロードキャストされ得る。たとえば、図２を参照すると、第１のアクセスポイント１１０は、近傍内のアクセスポイントが専用チャネル１５０でＦＩＬＳフレームをブロードキャストしているかどうかを決定することができる。比較的近傍の内部のアクセスポイントが専用チャネル１５０でＦＩＬＳフレームをブロードキャストしているという決定に応答して、第１のアクセスポイント１１０は、第１の近隣報告１１４のブロードキャスト送信を抑制することができる。
【００６２】
[0068]たとえば、第１のアクセスポイント１１０は、スキャン動作中に第３のアクセスポイント２６０からの第１のＦＩＬＳフレームの第１の受信信号強度を検出し測定することができる。比較的高いＲＳＳＩ２５０は、第３のアクセスポイント２６０が第１のアクセスポイント１１０の近傍にあることを示している。第１のＦＩＬＳフレームの第１の受信信号強度が第１の閾値を満たしている（たとえば、第１の閾値信号強度以上であるか、または比較的高いＲＳＳＩ２５０を有する）という決定に応答して、第１のアクセスポイント１１０は、専用チャネル１５０を介する第１の近隣報告１１４のブロードキャストを抑制することができる。
【００６３】
[0069]追加として、第１のアクセスポイント１１０は、比較的近傍の内部の３つ以上のアクセスポイントがスキャン動作中にＦＩＬＳフレームをブロードキャストしているかどうかを決定することができる。たとえば、第１のアクセスポイント１１０は、第４のアクセスポイント２７０からの第２のＦＩＬＳフレームと第５のアクセスポイント２８０からの第３のＦＩＬＳフレームとを専用チャネル１５０で検出することができる。加えて、第１のアクセスポイント１１０は、第２のＦＩＬＳフレームの第２の受信信号強度と第３のＦＩＬＳフレームの第３の受信信号強度とを測定することができる。各受信信号強度が第２の閾値を満たしている（たとえば、第２の閾値信号強度以上であるか、または中程度のＲＳＳＩ２５０を有する）という決定に応答して、第１のアクセスポイント１１０は、第１の近隣報告１１４のブロードキャストを抑制することができる。
【００６４】
[0070]しかしながら、受信信号強度が第１の閾値を満たす状態でＦＩＬＳフレームを専用チャネル１５０でブロードキャストしているアクセスポイントがなく、受信信号強度が第２の閾値を満たす状態でＦＩＬＳフレームを専用チャネル１５０でブロードキャストしている３つ以上のアクセスポイントがないという決定に応答して、第１のアクセスポイント１１０は第１の近隣報告１１４を専用チャネル１５０でブロードキャストする。加えて、近隣アクセスポイントからのＦＩＬＳフレームの近隣報告が第１の近隣報告１１４の各アクセスポイントをリストしていないと第１のアクセスポイント１１０が決定する場合、第１のアクセスポイント１１０は、第１の近隣報告１１４を専用チャネル１５０を介してブロードキャストすることができる。
【００６５】
[0071]専用チャネル１５０における１つまたは複数の近隣アクセスポイントのＦＩＬＳフレームの受信信号強度が閾値を満たす場合、図４の方法４００は、第１の近隣報告１１４のブロードキャストを抑制することによって専用チャネル１５０のオーバヘッド（たとえば、輻輳）を低減させることができる。上述のコーディネーションＲＮＲブロードキャスト方式を実施することにより、ＦＩＬＳフレームは、遅れずにカバレッジ区域に拡散することが可能になり得る。コーディネーション方式は、ＦＩＬＳフレームの受信信号強度を決定するためにアクセスポイントが専用チャネル１５０（たとえば、各アクセスポイントによって共有される共通チャネル）をスキャンできるのでアクセスポイント間のいかなるメッセージングも必要としないことを理解されよう。
【００６６】
[0072]図５を参照すると、専用チャネルを介して高速初期リンクセットアップを可能にする別の方法５００が説明される。方法５００は、図１〜２の第１のアクセスポイント１１０、図１〜２の第２のアクセスポイント１３０、図２の第３のアクセスポイント２６０、図２の第４のアクセスポイント２７０、図２の第５のアクセスポイント２８０、図２の第６のアクセスポイント２９０、またはそれらの組合せを使用して実行され得る。
【００６７】
[0073]方法５００は、５０２において、アクセスポイントにおいて識別情報を生成させることを含む。たとえば、図１を参照すると、第１のアクセスポイント１１４は、識別情報を生成させることができる。識別情報は、近隣報告（たとえば、ＩＥＥＥ８０２．１１ａｉプロトコルによる低減された近隣報告）、アクセスポイント能力情報、またはそれらの組合せを含むことができる。アクセスポイント能力情報は、ＩＥＥＥ８０２．１１ａｉプロトコルに従ってＦＩＬＳインジケーション要素で搬送され得る。１つの例では、アクセスポイント能力情報は、アクセスポイントと関連したアクセスポイントセキュリティ情報と、アクセスポイントの上位レイヤ能力を示す上位レイヤ能力情報とを含む。
【００６８】
[0074]識別情報は、５０４において、ワイヤレスネットワークの専用チャネルを介してブロードキャストされ得る。たとえば、図１を参照すると、第１のアクセスポイント１１０は、専用チャネル１５０を介して情報をブロードキャストすることができる。方法５００による専用チャネルは、非重複チャネルのセットにおけるチャネル（たとえば、特定のチャネル）を含むことができる。たとえば、専用チャネルは、近隣報告をブロードキャストするためにワイヤレスネットワークの多数のアクセスポイントによって共有される共通チャネルを含むことができる。
【００６９】
[0075]方法５００によれば、アクセスポイントはＩＥＥＥ８０２．１１ａｉアクセスポイントを含むことができ、ワイヤレスネットワークはＩＥＥＥ８０２．１１ワイヤレスネットワークを含むことができる。１つの例では、ＩＥＥＥ８０２．１１ａｉアクセスポイントはデュアルバンドアクセスポイントを含む。別の例では、ＩＥＥＥ８０２．１１ａｉアクセスポイントはシングルバンドアクセスポイントを含む。近隣報告は、ワイヤレスネットワークにおける隣接アクセスポイントのリストを含むことができる。１つの例では、隣接アクセスポイントのリスト中の各アクセスポイントは、別個のチャネルで動作している。１つの例では、近隣報告は、専用チャネルを介してアクセスポイントからブロードキャストされたビーコンフレーム、専用チャネルを介してアクセスポイントからブロードキャストされたＦＩＬＳ発見フレーム、またはアクセスポイントからのプローブ応答のうちの１つに含まれる。
【００７０】
[0076]方法５００は、識別情報をブロードキャストすることの前に１つまたは複数の対応するアクセスポイントからの１つまたは複数のブロードキャストされた近隣報告を検出するために特定の時間期間の間専用チャネルをスキャンすることをさらに含むことができる。アクセスポイントは、１つまたは複数のブロードキャストされた近隣報告の対応する信号強度に基づいて識別情報のブロードキャストを抑制すべきかどうかを決定する。たとえば、別のアクセスポイントからブロードキャストされた別の近隣報告の受信信号強度が第１の閾値を満たす場合、アクセスポイントからの特定の近隣報告のブロードキャストは抑制され得る。別の例として、他のアクセスポイントからブロードキャストされた対応する近隣報告の信号強度が第２の閾値を満たす場合、アクセスポイントからの特定の近隣報告のブロードキャストは抑制され得る。１つの例では、対応する近隣報告の信号強度は、３つの対応する近隣報告の少なくとも３つの信号強度に対応する。方法５００は、第２の近隣報告と第２のアクセスポイント能力情報とをアクセスポイントのプライマリ動作チャネルでブロードキャストすることをさらに含むことができる。
【００７１】
[0077]図６を参照すると、専用チャネルを介して高速初期リンクセットアップを可能にする別の方法６００が説明される。方法６００は、図１〜２のモバイルデバイス１２０を使用して実行され得る。
【００７２】
[0078]方法６００は、６０２において、ワイヤレスネットワークのアクセスポイントからのブロードキャストされた情報を検出するためにワイヤレスネットワークの専用チャネルを第１の局においてスキャンすることを含む。たとえば、図１を参照すると、第１の局１２０は、アクセスポイント１１０、１３０のうちの１つからのブロードキャストされた情報を検出するために専用チャネル１５０をスキャンすることができる。
【００７３】
[0079]特定の識別可能なアクセスポイントに関する識別情報は、６０４において、ブロードキャストされた情報から得られ得る。たとえば、図１を参照すると、第１の局１２０は、ブロードキャストされた情報に基づいてワイヤレスネットワークの特定の識別可能なアクセスポイントに関する識別情報を得ることができる。ブロードキャストされた情報は、近隣報告（たとえば、ＩＥＥＥ８０２．１１ａｉプロトコルによる低減された近隣報告）、アクセスポイント能力情報、またはそれらの組合せを含むことができる。アクセスポイント能力情報は、ＩＥＥＥ８０２．１１ａｉプロトコルに従ってＦＩＬＳインジケーション要素で搬送され得る。アクセスポイント能力情報は、特定の識別可能なアクセスポイントと関連したアクセスポイントセキュリティ情報と、特定の識別可能なアクセスポイントの上位レイヤ能力を示す上位レイヤ能力情報とを含むことができる。近隣報告は、専用チャネルを介してアクセスポイントからブロードキャストされたビーコンフレーム、専用チャネルを介してアクセスポイントからブロードキャストされたＦＩＬＳ発見フレーム、またはアクセスポイントからのプローブ応答のうちの１つに含まれ得る。
【００７４】
[0080]方法６００によれば、専用のものは、非重複チャネルのセットにおけるチャネル（たとえば、特定のチャネル）を含むことができる。１つの例では、専用チャネルは、近隣報告をブロードキャストするためにワイヤレスネットワークの多数のアクセスポイントによって共有される共通チャネルを備える。アクセスポイントはＩＥＥＥ８０２．１１ａｉアクセスポイントを含むことができ、ワイヤレスネットワークはＩＥＥＥ８０２．１１ワイヤレスネットワークを含むことができる。１つの例では、ＩＥＥＥ８０２．１１ａｉアクセスポイントはデュアルバンドアクセスポイントを含む。別の例では、ＩＥＥＥ８０２．１１ａｉアクセスポイントはシングルバンドアクセスポイントを含む。方法６００による近隣報告は、ワイヤレスネットワークにおける隣接アクセスポイントのリストを含むことができる。隣接アクセスポイントのリスト中の各アクセスポイントは、別個のチャネルで動作することができる。
【００７５】
[0081]方法６００は、ブロードキャストされた情報に基づいて特定の識別可能なアクセスポイントとの通信リンクを確立することをさらに含むことができる。たとえば、方法６００は、ブロードキャストされた情報に基づいて特定の識別可能なアクセスポイントのプライマリ動作チャネルを決定することを含むことができる。方法６００は、プライマリ動作チャネルを介して特定の識別可能なアクセスポイントに認証フレームを送信することをさらに含むことができる。方法６００は、特定の識別可能なアクセスポイントからの肯定応答フレームを受信することをさらに含むことができる。
【００７６】
[0082]方法６００は、ブロードキャストされた情報を検出することなく特定の時間期間が経過した後、第１の局においてプローブ要求を専用チャネルを介してブロードキャストすることをさらに含むことができる。方法６００は、プローブ要求をブロードキャストすることに応答したアクセスポイントからのプローブ応答を専用チャネルを介して受信することをさらに含むことができる。プローブ応答は、方法６００に従って、ブロードキャストされた情報を含むことができる。
【００７７】
[0083]図６の方法６００は、近隣報告とアクセスポイント能力情報とを得るために専用チャネル１５０を利用することによって減少され得る、モバイルデバイス１２０と好ましいアクセスポイントとの間の通信リンクを確立するための初期リンクセットアップ時間を減少させることができる。たとえば、モバイルデバイス１２０は、８０２．１１ａｉアクセスポイントを検出する前に多数のチャネルをスキャンするおよび／または探索することとは対照的にアクセスポイント１１０、１３０からの近隣報告およびアクセスポイント能力情報に対して専用チャネル１５０をスキャンするおよび／または探索することができる。したがって、近隣報告検出のために専用チャネル１５０を利用すると、８０２．１１ａｉアクセスポイントによって能動的に使用されていないチャネルをモバイルデバイス１２０がスキャンする可能性を減少させることができる。
【００７８】
[0084]図７を参照すると、ワイヤレス通信デバイスのブロック図が示され、全体的に７００で指定されている。デバイス７００は、メモリ７３２に結合されたデジタル信号プロセッサなどのプロセッサ７１０を含む。１つの例では、デバイス７００、またはその構成要素は、図１〜２のアクセスポイント１１０、１３０、図２のアクセスポイント２６０、２７０、２８０、２９０、またはそれらの構成要素に対応することができる。別の例では、デバイス７００は、図１〜２のモバイルデバイス１２０またはその構成要素に対応することができる。
【００７９】
[0085]プロセッサ７１０は、メモリ７３２に記憶されたソフトウェア（たとえば、１つまたは複数の命令７６８のプログラム）を実行するように構成され得る。追加としてまたは代替として、プロセッサ７１０は、ワイヤレスインターフェース７４０（たとえば、ＩＥＥＥ８０２．１１ワイヤレスインターフェース）のメモリに記憶された１つまたは複数の命令を実施するように構成され得る。１つの例では（たとえば、ワイヤレスデバイス７００がアクセスポイントに対応する場合）、プロセッサ７１０は、図４の方法４００および／または図５の方法５００に従って動作するように構成され得る。たとえば、プロセッサ７１０は、図４の方法４００および／または図５の方法５００を実行するために近隣クエリー／近隣報告論理部７６４を含むことができる。
【００８０】
[0086]別の例では（たとえば、ワイヤレスデバイス７００がモバイルデバイス１２０に対応する場合）、プロセッサ７１０は、図３の方法３００および／または図６の方法６００に従って動作するように構成され得る。たとえば、プロセッサ７１０は、図３の方法３００および／または図６の方法６００を実行するために近隣クエリー／近隣報告論理部７６４を含むことができる。プロセッサ７１０は、さらに、１つまたは複数の近隣報告７７０および／または１つまたは複数のプローブ要求７７２を受信し、決定し、および／または記憶するように構成され得る。たとえば、１つまたは複数の近隣報告７７０および／または１つまたは複数のプローブ要求７７２は、メモリ７３２に記憶され得る。１つまたは複数の近隣報告７７０は、例示的な非限定の例として、第１の近隣報告１１４および／または第２の近隣報告１３４を含むことができる。１つまたは複数のプローブ要求７７２は、図１〜２のモバイルデバイス１２０などのモバイルデバイスによって生成されたプローブ要求を含むことができる。
【００８１】
[0087]ワイヤレスインターフェース７４０は、プロセッサ７１０とアンテナ７４２とに結合され得る。たとえば、ワイヤレスインターフェース７４０はトランシーバ７４６を介してアンテナ７４２に結合され得、その結果、アンテナ７４２を介して受信されたワイヤレスデータはプロセッサ７１０に供給され得る。
【００８２】
[0088]ワイヤレスデバイス７００がモバイルデバイス１２０に対応する場合、符号器／復号器（ＣＯＤＥＣ）７３４が、さらに、プロセッサ７１０に結合され得る。スピーカ７３６とマイクロホン７３８とが、ＣＯＤＥＣ７３４に結合され得る。ディスプレイコントローラ７２６が、プロセッサ７１０とディスプレイデバイス７２８とに結合され得る。プロセッサ７１０、ディスプレイコントローラ７２６、メモリ７３２、ＣＯＤＥＣ７３４、およびワイヤレスインターフェース７４０は、システムインパッケージまたはシステムオンチップデバイス７２２に含まれる。入力デバイス７３０と電源７４４とが、システムオンチップデバイス７２２に結合される。その上、図７に示すように、ディスプレイデバイス７２８、入力デバイス７３０、スピーカ７３６、マイクロホン７３８、アンテナ７４２、および電源７４４は、システムオンチップデバイス７２２の外にある。しかしながら、ディスプレイデバイス７２８、入力デバイス７３０、スピーカ７３６、マイクロホン７３８、アンテナ７４２、および電源７４４の各々は、１つまたは複数のインターフェースまたはコントローラなどのシステムオンチップデバイス７２２の１つまたは複数の構成要素に結合され得る。
【００８３】
[0089]説明された技法に関連して、装置は、ワイヤレスネットワークのアクセスポイントからのブロードキャストされた情報を検出するためにワイヤレスネットワークの専用チャネルをスキャンするための手段を含む。たとえば、スキャンするための手段は、図７のワイヤレスインターフェース７４０、図７のトランシーバ７４６、図７の命令７６８を実行するようにプログラムされたプロセッサ７１０、専用チャネルをスキャンするための１つまたは複数の他のデバイス、回路、モジュール、もしくは命令、またはそれらの組合せを含むことができる。
【００８４】
[0090]装置は、特定のアクセスポイントに関する識別情報をブロードキャストされた情報から得るための手段をさらに含む。たとえば、識別情報を得るための手段は、図７のワイヤレスインターフェース７４０、図７の命令７６８を実行するようにプログラムされたプロセッサ７１０、特定のアクセスポイントの情報を得るための１つまたは複数の他のデバイス、回路、モジュールもしくは命令、またはそれらの組合せを含むことができる。ブロードキャストされる情報は、近隣報告（たとえば、低減された近隣報告）、アクセスポイント能力情報（たとえば、特定の識別可能なアクセスポイントと関連したアクセスポイントセキュリティ情報、および特定の識別可能なアクセスポイントの上位レイヤ能力を示す上位レイヤ能力情報）、またはそれらの組合せを含む。アクセスポイント能力情報は、ＩＥＥＥ８０２．１１ａｉプロトコルに従ってＦＩＬＳインジケーション要素で搬送される。
【００８５】
[0091]説明された技法に関連して、装置は、ワイヤレスネットワークの専用チャネルの少なくとも１つのブロードキャストされた近隣報告の信号強度を決定するための手段を含む。たとえば、信号強度を決定するための手段は、図７の命令７６８を実行するようにプログラムされたプロセッサ７１０、専用チャネルの少なくとも１つのブロードキャストされた低減された近隣報告の信号強度を決定するための１つまたは複数の他のデバイス、回路、モジュール、もしくは命令、またはそれらの組合せを含むことができる。
【００８６】
[0092]装置は、信号強度が閾値を満たし損なっているという決定に応答して専用チャネルを介して識別情報をブロードキャストするための手段をさらに含む。たとえば、ブロードキャストするための手段は、図５のワイヤレスインターフェース７４０、図７のトランシーバ７４６、図７のアンテナ７４２、図７の命令７６８を実行するようにプログラムされたプロセッサ７１０、低減された近隣報告をブロードキャストするための１つまたは複数の他のデバイス、回路、モジュールもしくは命令、またはそれらの組合せを含むことができる。識別情報は、近隣報告（たとえば、低減された近隣報告）、アクセスポイント能力情報（たとえば、アクセスポイントと関連したアクセスポイントセキュリティ情報、およびアクセスポイントの上位レイヤ能力を示す上位レイヤ能力情報）、またはそれらの組合せを含む。アクセスポイント能力情報は、ＩＥＥＥ８０２．１１ａｉプロトコルに従ってＦＩＬＳインジケーション要素で搬送される。
【００８７】
[0093]本明細書で開示された技法に関連して説明された様々な例示的な論理ブロック、構成、モジュール、回路、およびアルゴリズムステップは、電子ハードウェア、プロセッサによって実行されるコンピュータソフトウェア、または両方の組合せとして実装され得ることを当業者はさらに理解するであろう。様々な例示的な構成要素、ブロック、構成、モジュール、回路、およびステップが、概してそれらの機能に関して上述された。そのような機能がハードウェアとして実装されるかまたはプロセッサ実行可能命令として実装されるかは、特定用途とシステム全体に課せられる設計制約とにより決まる。当業者は、説明された機能を特定の用途ごとに様々な方法で実装することができるが、そのような実装の決定は、本開示の範囲からの逸脱を引き起こすと解釈されるべきでない。
【００８８】
[0094]本明細書で開示された技法に関連して説明された方法またはアルゴリズムのステップは、直接ハードウェアで具現されるか、プロセッサによって実行されるソフトウェアモジュールで具現されるか、または２つの組合せで具現され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的（ｎｏｎ−ｔｒａｎｓｉｅｎｔ）（たとえば、非一時的（ｎｏｎ−ｔｒａｎｓｉｔｏｒｙ））記憶媒体に存在することができる。例示的な記憶媒体は、プロセッサが記憶媒体から情報を読み取り、記憶媒体に情報を書き込むことができるようにプロセッサに結合される。代替では、記憶媒体はプロセッサと一体とすることができる。プロセッサおよび記憶媒体は、特定用途向けの集積回路（ＡＳＩＣ）に存在することができる。ＡＳＩＣは、コンピューティングデバイスまたはユーザ端末に存在することができる。代替では、プロセッサおよび記憶媒体は、コンピューティングデバイスまたはユーザ端末に個別の構成要素として存在することができる。
【００８９】
[0095]開示された技法の先の説明は、開示された技法を当業者が行うかまたは使用できるようにするために提供されている。これらの技法への様々な変更は、当業者には容易に明らかであり、本明細書で定義された原理は、本開示の範囲から逸脱することなしに他の技法に適用され得る。したがって、本開示は、本明細書に示された実施形態に限定されるものではなく、以下の特許請求の範囲によって定義されるような原理および新規な特徴と矛盾しない可能な最大の範囲を与えられるべきである。
【図１】
2017515357.tif 000003
【図２】
2017515357.tif 000004
【図３】
2017515357.tif 000005
【図４】
2017515357.tif 000006
【図５】
2017515357.tif 000007
【図６】
2017515357.tif 000008
【図７】
2017515357.tif 000009
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
識別情報をアクセスポイントにおいて生成すること、前記識別情報は、近隣報告またはアクセスポイント能力情報のうちの少なくとも１つを含み、ここにおいて、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と、
ワイヤレスネットワークの専用チャネルを介して前記識別情報をブロードキャストすること、前記専用チャネルは、近隣報告をブロードキャストするために前記ワイヤレスネットワークの多数のアクセスポイントによって共有される共通チャネルを備える、と
を備える、方法。
【請求項２】
前記近隣報告は、前記ＩＥＥＥ８０２．１１ａｉプロトコルによる低減された近隣報告を含む、
請求項１に記載の方法。
【請求項３】
前記アクセスポイント能力情報は、前記アクセスポイントと関連したアクセスポイントセキュリティ情報と、前記アクセスポイントの上位レイヤ能力を示す上位レイヤ能力情報とを含む、
請求項１に記載の方法。
【請求項４】
前記専用チャネルは、非重複チャネルのセットにおける特定のチャネルを備える、
請求項１に記載の方法。
【請求項５】
前記アクセスポイントは、ＩＥＥＥ８０２．１１ａｉアクセスポイントを備え、前記ワイヤレスネットワークは、ＩＥＥＥ８０２．１１ワイヤレスネットワークを備える、
請求項１に記載の方法。
【請求項６】
前記ＩＥＥＥ８０２．１１ａｉアクセスポイントは、デュアルバンドアクセスポイントを備える、
請求項５に記載の方法。
【請求項７】
前記ＩＥＥＥ８０２．１１ａｉアクセスポイントは、シングルバンドアクセスポイントを備える、
請求項５に記載の方法。
【請求項８】
前記近隣報告は、前記ワイヤレスネットワークにおける隣接アクセスポイントのリストを含む、
請求項１に記載の方法。
【請求項９】
前記隣接アクセスポイントのリスト中の各アクセスポイントは、別個のチャネルで動作している、
請求項８に記載の方法。
【請求項１０】
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
請求項１に記載の方法。
【請求項１１】
前記識別情報の前記ブロードキャストの前に１つまたは複数の対応するアクセスポイントからの１つまたは複数のブロードキャストされた近隣報告を検出するために特定の時間期間の間前記専用チャネルをスキャンすることをさらに備え、
前記アクセスポイントは、前記１つまたは複数のブロードキャストされた近隣報告の対応する信号強度に基づいて前記識別情報の前記ブロードキャストを抑制すべきかどうかを決定する、
請求項１に記載の方法。
【請求項１２】
第２の近隣報告と第２のアクセスポイント能力情報とを前記アクセスポイントのプライマリ動作チャネルでブロードキャストすることをさらに備える、
請求項１に記載の方法。
【請求項１３】
別のアクセスポイントからブロードキャストされた別の近隣報告の受信信号強度が閾値を満たす場合、前記アクセスポイントからの特定の近隣報告のブロードキャストが抑制される、
請求項１に記載の方法。
【請求項１４】
他のアクセスポイントからブロードキャストされた対応する近隣報告の信号強度が閾値を満たす場合、前記アクセスポイントからの特定の近隣報告のブロードキャストが抑制される、
請求項１に記載の方法。
【請求項１５】
前記対応する近隣報告の前記信号強度は、３つの対応する近隣報告の少なくとも３つの信号強度に対応する、
請求項１４に記載の方法。
【請求項１６】
プロセッサと、
前記プロセッサに結合されたメモリと
を備え、前記メモリは、
識別情報をアクセスポイントにおいて生成すること、前記識別情報は、近隣報告またはアクセスポイント能力情報のうちの少なくとも１つを含み、ここにおいて、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と、
ワイヤレスネットワークの専用チャネルを介して前記識別情報をブロードキャストすること、前記専用チャネルは、近隣報告をブロードキャストするために前記ワイヤレスネットワークの多数のアクセスポイントによって共有される共通チャネルを備える、と
を備える動作を実行するために前記プロセッサによって実行可能である命令を記憶する、
装置。
【請求項１７】
前記近隣報告は、前記ＩＥＥＥ８０２．１１ａｉプロトコルによる低減された近隣報告を含む、
請求項１６に記載の装置。
【請求項１８】
前記アクセスポイント能力情報は、前記アクセスポイントと関連したアクセスポイントセキュリティ情報と、前記アクセスポイントの上位レイヤ能力を示す上位レイヤ能力情報とを含む、
請求項１６に記載の装置。
【請求項１９】
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
請求項１６に記載の装置。
【請求項２０】
前記動作は、
前記識別情報の前記ブロードキャストの前に１つまたは複数の対応するアクセスポイントからの１つまたは複数のブロードキャストされた近隣報告を検出するために特定の時間期間の間前記専用チャネルをスキャンすることをさらに備え、
前記アクセスポイントは、前記１つまたは複数のブロードキャストされた近隣報告の対応する信号強度に基づいて前記識別情報の前記ブロードキャストを抑制すべきかどうかを決定するように構成される、
請求項１６に記載の装置。
【請求項２１】
プロセッサによって実行されたとき、前記プロセッサに、
識別情報をアクセスポイントにおいて生成すること、前記識別情報は、近隣報告またはアクセスポイント能力情報のうちの少なくとも１つを含み、ここにおいて、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と
ワイヤレスネットワークの専用チャネルを介して前記識別情報のブロードキャストを開始すること、前記専用チャネルは、近隣報告をブロードキャストするために前記ワイヤレスネットワークの多数のアクセスポイントによって共有される共通チャネルを備える、と
を行わせる命令を備える、非一時的コンピュータ可読媒体。
【請求項２２】
前記近隣報告は、前記ＩＥＥＥ８０２．１１ａｉプロトコルによる低減された近隣報告を含む、
請求項２１に記載の非一時的コンピュータ可読媒体。
【請求項２３】
ワイヤレスネットワークの専用チャネルの少なくとも１つのブロードキャストされた近隣報告の信号強度を決定するための手段、前記専用チャネルは、近隣報告をブロードキャストするために前記ワイヤレスネットワークの多数のアクセスポイントによって共有される共通チャネルを備える、と、
前記信号強度が閾値を満たし損なっているという決定に応答して前記専用チャネルを介して識別情報をブロードキャストするための手段、前記識別情報は、近隣報告またはアクセスポイント能力情報のうちの少なくとも１つを含み、ここにおいて、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と
を備える、装置。
【請求項２４】
前記近隣報告は、前記ＩＥＥＥ８０２．１１ａｉプロトコルによる低減された近隣報告を含む、
請求項２３に記載の装置。
【請求項２５】
前記専用チャネルは、非重複チャネルのセットにおける特定のチャネルを備える、
請求項２３に記載の装置。
【手続補正２】
【補正対象書類名】明細書
【補正対象項目名】００８９
【補正方法】変更
【補正の内容】
【００８９】
[0095]開示された技法の先の説明は、開示された技法を当業者が行うかまたは使用できるようにするために提供されている。これらの技法への様々な変更は、当業者には容易に明らかであり、本明細書で定義された原理は、本開示の範囲から逸脱することなしに他の技法に適用され得る。したがって、本開示は、本明細書に示された実施形態に限定されるものではなく、以下の特許請求の範囲によって定義されるような原理および新規な特徴と矛盾しない可能な最大の範囲を与えられるべきである。
以下に、本願出願の当初の特許請求の範囲に記載された発明を付記する。
［Ｃ１］
識別情報をアクセスポイントにおいて生成すること、前記識別情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と、
ワイヤレスネットワークにおける専用チャネルを介して前記識別情報をブロードキャストすることと
を備える、方法。
［Ｃ２］
前記近隣報告は、前記ＩＥＥＥ８０２．１１ａｉプロトコルに従う低減された近隣報告を含む、
Ｃ１に記載の方法。
［Ｃ３］
前記アクセスポイント能力情報は、前記アクセスポイントと関連したアクセスポイントセキュリティ情報と、前記アクセスポイントの上位レイヤ能力を示す上位レイヤ能力情報とを含む、
Ｃ１に記載の方法。
［Ｃ４］
前記専用チャネルは、非重複チャネルのセットにおける特定のチャネルを備える、
Ｃ１に記載の方法。
［Ｃ５］
前記アクセスポイントは、ＩＥＥＥ８０２．１１ａｉアクセスポイントを備え、前記ワイヤレスネットワークは、ＩＥＥＥ８０２．１１ワイヤレスネットワークを備える、
Ｃ１に記載の方法。
［Ｃ６］
前記ＩＥＥＥ８０２．１１ａｉアクセスポイントは、デュアルバンドアクセスポイントを備える、
Ｃ５に記載の方法。
［Ｃ７］
前記ＩＥＥＥ８０２．１１ａｉアクセスポイントは、シングルバンドアクセスポイントを備える、
Ｃ５に記載の方法。
［Ｃ８］
前記近隣報告は、前記ワイヤレスネットワークにおける隣接アクセスポイントのリストを含む、
Ｃ１に記載の方法。
［Ｃ９］
前記隣接アクセスポイントのリスト中の各アクセスポイントは、別個のチャネルで動作している、
Ｃ８に記載の方法。
［Ｃ１０］
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
Ｃ１に記載の方法。
［Ｃ１１］
前記専用チャネルは、近隣報告をブロードキャストするために前記ワイヤレスネットワークの多数のアクセスポイントによって共有される共通チャネルを備える、
Ｃ１に記載の方法。
［Ｃ１２］
前記識別情報を前記ブロードキャストすることの前に１つまたは複数の対応するアクセスポイントからの１つまたは複数のブロードキャストされた近隣報告を検出するために特定の時間期間の間前記専用チャネルをスキャンすることをさらに備え、
前記アクセスポイントは、前記１つまたは複数のブロードキャストされた近隣報告の対応する信号強度に基づいて前記識別情報の前記ブロードキャストを抑制すべきかどうかを決定する、
Ｃ１に記載の方法。
［Ｃ１３］
第２の近隣報告と第２のアクセスポイント能力情報とを前記アクセスポイントのプライマリ動作チャネルでブロードキャストすることをさらに備える、
Ｃ１に記載の方法。
［Ｃ１４］
別のアクセスポイントからブロードキャストされた別の近隣報告の受信信号強度が第１の閾値を満たす場合、前記アクセスポイントからの特定の近隣報告のブロードキャストが抑制される、
Ｃ１に記載の方法。
［Ｃ１５］
他のアクセスポイントからブロードキャストされた対応する近隣報告の信号強度が第２の閾値を満たす場合、前記アクセスポイントからの特定の近隣報告のブロードキャストが抑制される、
Ｃ１に記載の方法。
［Ｃ１６］
前記対応する近隣報告の信号強度は、３つの対応する近隣報告の少なくとも３つの信号強度に対応する、
Ｃ１５に記載の方法。
［Ｃ１７］
プロセッサと、
前記プロセッサに結合されたメモリと
を備え、前記メモリは、
識別情報をアクセスポイントにおいて生成すること、前記識別情報は、近隣報告、アクセスポイント能力情報、またはそれらの組合せを含み、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と、
前記識別情報をワイヤレスネットワークの専用チャネルを介してブロードキャストすることと
を備える動作を実行するために前記プロセッサによって実行可能である命令を記憶する、
装置。
［Ｃ１８］
前記近隣報告は、前記ＩＥＥＥ８０２．１１ａｉプロトコルによる低減された近隣報告を含む、
Ｃ１７に記載の装置。
［Ｃ１９］
前記アクセスポイント能力情報は、前記アクセスポイントと関連したアクセスポイントセキュリティ情報と、前記アクセスポイントの上位レイヤ能力を示す上位レイヤ能力情報とを含む、
Ｃ１７に記載の装置。
［Ｃ２０］
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
Ｃ１７に記載の装置。
［Ｃ２１］
前記専用チャネルは、近隣報告をブロードキャストするために前記ワイヤレスネットワークの多数のアクセスポイントによって共有される共通チャネルを備える、
Ｃ１７に記載の装置。
［Ｃ２２］
前記動作は、
前記識別情報を前記ブロードキャストすることの前に１つまたは複数の対応するアクセスポイントからの１つまたは複数のブロードキャストされた近隣報告を検出するために特定の時間期間の間前記専用チャネルをスキャンすることをさらに備え、
ここにおいて、前記アクセスポイントが、前記１つまたは複数のブロードキャストされた近隣報告の対応する信号強度に基づいて前記識別情報の前記ブロードキャストを抑制すべきかどうかを決定する、
Ｃ１７に記載の装置。
［Ｃ２３］
プロセッサによって実行されたとき、前記プロセッサに、
識別情報をアクセスポイントにおいて生成すること、前記識別情報は、近隣報告、アクセスポイント能力情報、またはそれらの組合せを含み、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と
ワイヤレスネットワークの専用チャネルを介する前記識別情報のブロードキャストを開始することと
を行わせる命令を備える、非一時的コンピュータ可読媒体。
［Ｃ２４］
前記近隣報告は、前記ＩＥＥＥ８０２．１１ａｉプロトコルによる低減された近隣報告を含む、
Ｃ２３に記載の非一時的コンピュータ可読媒体。
［Ｃ２５］
ワイヤレスネットワークの専用チャネルの少なくとも１つのブロードキャストされた近隣報告の信号強度を決定するための手段と、
前記信号強度が閾値を満たし損なっているという決定に応答して前記専用チャネルを介して識別情報をブロードキャストするための手段、前記識別情報は、近隣報告、アクセスポイント能力情報、またはそれらの組合せを含み、前記アクセスポイント能力情報は、電気電子技術者協会（ＩＥＥＥ）８０２．１１ａｉプロトコルに従って高速初期リンクセットアップ（ＦＩＬＳ）インジケーション要素で搬送される、と
を備える、装置。
［Ｃ２６］
前記近隣報告は、前記ＩＥＥＥ８０２．１１ａｉプロトコルに従って低減された近隣報告を含む、
Ｃ２５に記載の装置。
［Ｃ２７］
前記専用チャネルは、非重複チャネルのセットにおける特定のチャネルを備える、
Ｃ２５に記載の装置。
［Ｃ２８］
前記専用チャネルは、近隣報告をブロードキャストするために前記ワイヤレスネットワークの多数のアクセスポイントによって共有される共通チャネルを備える、
Ｃ２５に記載の装置。
【国際調査報告】
2017515357.tif 000010
2017515357.tif 000011
2017515357.tif 000012
2017515357.tif 000013